(57)【特許請求の範囲】
【請求項１】
基地局装置から上りリンク及び下りリンクについてそれぞれ複数のサブバンドが割り当てられ、前記基地局装置と通信を行う移動局装置であって、
前記上りリンクについて割り当てられた複数の上りリンクサブバンドに含まれる第１及び第２の上りリンクサブバンドを用いて、前記基地局装置にデータを送信し、
前記第１及び第２の上りリンクサブバンドを用いて送信されたデータに対するそれぞれの応答情報を、前記下りリンクについて割り当てられた下りリンクサブバンドにおける前記応答情報の配置に関する、下りリンク共有チャネルに配置される設定情報に基づいて、前記複数の下りリンクサブバンドに含まれる１つの下りリンクサブバンドにおけるＨＡＲＱインディケータチャネルで前記基地局装置から受信する
ことを特徴とする移動局装置。
【請求項２】
前記基地局装置から割り当てられた複数の下りリンクサブバンドで、前記基地局装置からデータチャネルと制御チャネルを受信し、
前記基地局装置から割り当てられた複数の上りリンクサブバンドで、前記基地局装置にデータチャネルと制御チャネルを送信する
ことを特徴とする請求項１に記載の移動局装置。
【請求項３】
前記サブバンドは、
前記基地局装置が前記移動局装置に通信に用いる周波数帯域を割り当てる単位であり、複数の物理リソースブロックから構成される
ことを特徴とする請求項１または請求項２に記載の移動局装置。
【請求項４】
移動局装置に対して上りリンク及び下りリンクについてそれぞれ複数のサブバンドを割り当て、前記移動局装置と通信を行う基地局装置であって、
前記上りリンクについて割り当てた複数の上りリンクサブバンドに含まれる第１及び第２の上りリンクサブバンドを用いて、前記移動局装置から送信されたデータを受信し、
前記第１及び第２の上りリンクサブバンドを用いて送信されたデータに対するそれぞれの応答情報を、前記下りリンクについて割り当てられた下りリンクサブバンドにおける前記応答情報の配置に関する、下りリンク共有チャネルに配置される設定情報に基づいて、前記複数の下りリンクサブバンドに含まれる１つの下りリンクサブバンドにおけるＨＡＲＱインディケータチャネルで前記移動局装置に送信する
ことを特徴とする基地局装置。
【請求項５】
前記移動局装置に割り当てた複数の下りリンクサブバンドで、前記移動局装置にデータチャネルと制御チャネルとを送信し、
前記移動局装置に割り当てた複数の上りリンクサブバンドで、前記移動局装置からデータチャネルと制御チャネルとを受信する
ことを特徴とする請求項４に記載の基地局装置。
【請求項６】
複数の移動局装置に対して１つまたは複数の上りリンクサブバンド及び１つまたは複数の下りリンクサブバンドをそれぞれ割り当て、前記複数の移動局装置と通信を行う基地局装置であって、
前記割り当てられた上りリンクサブバンドに含まれる１つの上りリンクサブバンドを用いて、前記複数の移動局装置のそれぞれからデータを受信し、
前記複数の移動局装置のうちの２つの移動局装置から受信したデータに対する応答情報を、前記１つまたは複数の下りリンクサブバンドにおける前記応答情報の配置に関する、下りリンク共有チャネルに配置される設定情報に基づいて、互いに異なる下りリンクサブバンドのそれぞれにおけるＨＡＲＱインディケータチャネルを用いて送信する
ことを特徴とする基地局装置。
【請求項７】
基地局装置から上りリンク及び下りリンクについてそれぞれ複数のサブバンドが割り当てられ、前記基地局装置と通信を行う移動局装置に用いられる無線通信方法であって、
前記上りリンクについて割り当てられた複数の上りリンクサブバンドに含まれる第１及び第２の上りリンクサブバンドを用いて、前記基地局装置にデータを送信し、
前記第１及び第２の上りリンクサブバンドを用いて送信されたデータに対するそれぞれの応答情報を、前記下りリンクについて割り当てられた下りリンクサブバンドにおける前記応答情報の配置に関する、下りリンク共有チャネルに配置される設定情報に基づいて、前記複数の下りリンクサブバンドに含まれる１つの下りリンクサブバンドにおけるＨＡＲＱインディケータチャネルで前記基地局装置から受信する
ことを特徴とする無線通信方法。
【請求項８】
移動局装置に対して上りリンク及び下りリンクについてそれぞれ複数のサブバンドを割り当て、前記移動局装置と通信を行う基地局装置に用いられる無線通信方法であって、
前記上りリンクについて割り当てた複数の上りリンクサブバンドに含まれる第１及び第２の上りリンクサブバンドを用いて、前記移動局装置から送信されたデータを受信し、
前記第１及び第２の上りリンクサブバンドを用いて送信されたデータに対するそれぞれの応答情報を、前記下りリンクについて割り当てられた下りリンクサブバンドにおける前記応答情報の配置に関する、下りリンク共有チャネルに配置される設定情報に基づいて、前記複数の下りリンクサブバンドに含まれる１つの下りリンクサブバンドにおけるＨＡＲＱインディケータチャネルで前記移動局装置に送信する
ことを特徴とする無線通信方法。
【請求項９】
複数の移動局装置に対して１つまたは複数の上りリンクサブバンド及び１つまたは複数の下りリンクサブバンドをそれぞれ割り当て、前記複数の移動局装置と通信を行う基地局装置に用いられる無線通信方法であって、
前記割り当てられた上りリンクサブバンドに含まれる１つの上りリンクサブバンドを用いて、前記複数の移動局装置のそれぞれからデータを受信し、
前記複数の移動局装置のうちの２つの移動局装置から受信したデータに対する応答情報を、前記１つまたは複数の下りリンクサブバンドにおける前記応答情報の配置に関する、下りリンク共有チャネルに配置される設定情報に基づいて、互いに異なる下りリンクサブバンドのそれぞれにおけるＨＡＲＱインディケータチャネルを用いて送信する
ことを特徴とする無線通信方法。
【請求項１０】
移動局装置と、
前記移動局装置に対して上りリンク及び下りリンクについて複数のサブバンドをそれぞれ割り当て、前記移動局装置と通信を行う基地局装置とから構成される無線通信システであって、
前記基地局装置は、
前記上りリンクについて割り当てた複数の上りリンクサブバンドに含まれる第１及び第２の上りリンクサブバンドを用いて、前記移動局装置から送信されたデータを受信し、
前記第１及び第２の上りリンクサブバンドを用いて送信されたデータに対するそれぞれの応答情報を、前記下りリンクについて割り当てられた下りリンクサブバンドにおける前記応答情報の配置に関する、下りリンク共有チャネルに配置される設定情報に基づいて、前記複数の下りリンクサブバンドに含まれる１つの下りリンクサブバンドにおけるＨＡＲＱインディケータチャネルで前記移動局装置に送信し、
前記移動局装置は、
前記応答情報を前記１つの下りリンクサブバンドにおけるＨＡＲＱインディケータチャネルで前記基地局装置から受信する
ことを特徴とする無線通信システム。
【請求項１１】
複数の移動局装置と、
前記複数の移動局装置に対して１つまたは複数の上りリンクサブバンド及び１つまたは複数の下りリンクサブバンドをそれぞれ割り当て、前記複数の移動局装置と通信を行う基地局装置とから構成される無線通信システムであって、
前記基地局装置は、
前記割り当てられた上りリンクサブバンドに含まれる１つの上りリンクサブバンドを用いて、前記複数の移動局装置のそれぞれからデータを受信し、
前記複数の移動局装置のうちの２つの移動局装置から受信したデータに対する応答情報を、前記１つまたは複数の下りリンクサブバンドにおける前記応答情報の配置に関する、下りリンク共有チャネルに配置される設定情報に基づいて、互いに異なる下りリンクサブバンドのそれぞれにおけるＨＡＲＱインディケータチャネルを用いて送信し、
前記２つの移動局装置は、
前記応答情報を前記基地局装置からそれぞれ受信する
ことを特徴とする無線通信システム。
【発明の詳細な説明】
【技術分野】
【０００１】
本発明は、無線通信システム、基地局装置、移動局装置および無線通信方法に関する。本願は、２００８年９月２２日に、日本に出願された特願２００８−２４３２０７号に基づき優先権を主張し、その内容をここに援用する。
【背景技術】
【０００２】
セルラー移動通信の第三世代（3rd generation；以下、「３Ｇ」という）無線アクセス方式の進化（Evolved Universal Terrestrial Radio Access；以下、「ＥＵＴＲＡ」という）および３Ｇネットワークの進化（Evolved Universal Terrestrial Radio Access Network）が３ＧＰＰ（3rd Generation Partnership Project；第三世代パートナーシッププロジェクト）において検討されている。
また、３ＧＰＰにおいて、セルラー移動通信の第四世代（4th Generation；以下、「４Ｇ」という）無線アクセス方式（Advanced EUTRA；以下、「Ａ−ＥＵＴＲＡ」という）および、4Ｇネットワーク（Advanced EUTRAN）の検討が開始された。Ａ−ＥＵＴＲＡでは、ＥＵＴＲＡよりも広帯域に対応することおよびＥＵＴＲＡとの互換性が検討されており、Ａ−ＥＵＴＲＡの周波数帯域の一部を使ってＡ−ＥＵＴＲＡの基地局装置がＥＵＴＲＡの移動局装置と通信を行うことが提案されている。【０００３】
Ａ−ＥＵＴＲＡの基地局装置から移動局装置への下りリンクとして、マルチキャリア送信で複数の周波数帯域を用いて通信を行うレイヤード（Layered）ＯＦＤＭＡ（Orthogonal Frequency Division Multiple Access；直交周波数分割多元接続）方式が提案されている。また、Ａ−ＥＵＴＲＡの移動局装置から基地局装置への上りリンクとして、シングルキャリア送信であるＳＣ−ＦＤＭＡ（Single Carrier-Frequency Division Multiple Access；シングルキャリア周波数分割多元接続）方式とマルチキャリア送信であるＯＦＤＭＡ方式の切換および、下りリンクと同じように複数の周波数帯域を用いて通信を行うことが提案されている（非特許文献１）。【０００４】
図２７は、ＥＵＴＲＡにおけるチャネルの概略構造を示す図である。基地局装置ＢＳ１は、移動局装置ＵＥ１、ＵＥ２、ＵＥ３と無線通信を行う。ＥＵＴＲＡの基地局装置ＢＳ１から移動局装置ＵＥ１、ＵＥ２、ＵＥ３への無線通信の下りリンクは、下りリンクパイロットチャネル、下りリンク同期チャネル、報知チャネル、下りリンク制御チャネル、下りリンク共有データチャネル、制御フォーマットインディケータチャネル、ＨＡＲＱ（Hybrid Automatic Repeat reQuest）インディケータチャネルおよびマルチキャストチャネルを備える。なお、ＨＡＲＱは、自動再送（ＡＲＱ；Automatic Repeat reQuest）と、ターボ符号化等の誤り訂正符号とを組み合わせて誤り制御を行う。チェイス合成（ＣＣ；Chase Combining）を用いるＨＡＲＱは、受信パケットに誤りが検出されると、全く同一のパケットの再送を要求する。これらの２つの受信パケットを合成することにより、受信品質を高めている。増加冗長（ＩＲ；Incremental Redundancy）を用いるＨＡＲＱは、冗長ビットを分割し、少しずつ順次再送するため、再送回数が増えるにしたがって符号化率を低下させて、誤り訂正能力を強化している。
また、ＥＵＴＲＡの移動局装置ＵＥ１、ＵＥ２、ＵＥ３から基地局装置ＢＳ１への無線通信の上りリンクは、上りリンクパイロットチャネル、ランダムアクセスチャネル、上りリンク制御チャネルおよび上りリンク共有データチャネルを備える。【０００５】
図２８は、ＥＵＴＲＡにおける上りリンク無線フレームの概略構成を示す図である（非特許文献２ 5.2節）。図２８では例として、上りリンク制御チャネルと上りリンク共有データチャネルを周波数多重するときの無線フレームのサブフレームの概略構成を示している。図２８において、横軸は時間軸、縦軸は周波数軸である。上りリンク無線フレームは、複数の物理リソースブロックＰＲＢ（Physical Resource Block）ペアから構成されている。この物理リソースブロックペアは、無線リソース割り当てなどの単位であり、予め決められた幅の周波数帯（ＰＲＢ帯域幅）および時間帯（２スロット＝１サブフレーム）からなる。基本的に１個の物理リソースブロックＰＲＢペアは時間領域で連続する２個の物理リソースブロックＰＲＢ（ＰＲＢ帯域幅×スロット）から構成される。【０００６】
上りリンクのサブフレームでは、１個の物理リソースブロックＰＲＢは周波数領域において１２個のサブキャリアから構成され、時間領域において７個のＳＣ−ＦＤＭＡシンボルから構成される。システム帯域幅は、基地局装置の通信帯域幅である。時間領域においては、７個のＳＣ−ＦＤＭＡシンボルから構成されるスロット、２個のスロットから構成されるサブフレーム、１０個のサブフレームから構成される無線フレームがある。なお、１個のサブキャリアと１個のＳＣ−ＦＤＭＡシンボルから構成されるユニットをリソースエレメントと呼ぶ。また、上りリンク無線フレームでは周波数方向にシステム帯域幅に応じた複数の物理リソースブロックＰＲＢが配置される。【０００７】
上りリンクの各サブフレームには少なくとも、情報データの送信に用いる上りリンク共有データチャネル、制御データの送信に用いる上りリンク制御チャネルが配置される。
図２８では、上りリンク制御チャネルは、システム帯域の両端、つまり周波数の低いほうからみて１番目の物理リソースブロックＰＲＢと最後尾の物理リソースブロックＰＲＢに配置される。これらのリソースブロックをハッチングして図示する。上りリンク共有データチャネルはその他の物理リソースブロックＰＲＢに配置された場合を示しているが、サブフレーム単位で上りリンク制御チャネルが配置される物理リソースブロックＰＲＢ数は変化する。上りリンク制御チャネルが複数の物理リソースブロックＰＲＢペアに配置される場合、システム帯域の両端から順番に配置される。
上りリンク制御チャネルには、チャネル品質インディケータ、スケジューリング要求インディケータなどが含まれる。
なお、本発明とは関連性がないため、ランダムアクセスチャネル、上りリンクパイロットチャネルは図示せず、説明は省略する。【０００８】
図２９は、ＥＵＴＲＡにおける下りリンク無線フレームの概略構成を示す図である（非特許文献２ 6.2節）。図２９では例として、下りリンク制御チャネルと下りリンク共有データチャネルを時間多重するときの無線フレームのサブフレームの概略構成を示している。これらのリソースブロックをハッチングして図示する。図２９において、横軸は時間軸、縦軸は周波数軸である。
下りリンク無線フレームは、複数の物理リソースブロックＰＲＢペアから構成されている。この物理リソースブロックＰＲＢペアは、無線リソース割り当てなどの単位であり、予め決められた幅の周波数帯（ＰＲＢ帯域幅）および時間帯（２スロット＝１サブフレーム）からなる。基本的に１個の物理リソースブロックＰＲＢペアは時間領域で連続する２個の物理リソースブロックＰＲＢ（ＰＲＢ帯域幅×スロット）から構成される。【０００９】
下りリンクのサブフレームでは、１個の物理リソースブロックＰＲＢは周波数領域において１２個のサブキャリアから構成され、時間領域において７個のＯＦＤＭ（Orthogonal Frequency Division Multiplexing；直交周波数分割多重）シンボルから構成される。システム帯域幅は、基地局装置の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントと呼ぶ。また、下りリンク無線フレームでは周波数方向にシステム帯域幅に応じた複数の物理リソースブロックＰＲＢが配置される。【００１０】
下りリンクの各サブフレームには少なくとも、情報データとシステム情報の送信に用いる下りリンク共有データチャネル、制御データの送信に用いる下りリンク制御チャネルが配置される。下りリンク共有データチャネル内のシステム情報と情報データの無線リソース割り当は下りリンク制御チャネルで示される。【００１１】
システム情報の送信に用いる報知チャネルについては図２９においては図示せず、その配置は後述する。システム情報は、基地局装置と移動局装置が通信するのに必要な情報から構成されており、報知チャネルと下りリンク共有データチャネルで多数の移動局装置に向かって周期的に送信される。なお、報知チャネルと下りリンク共有データチャネルに配置されるシステム情報の項目は異なり、報知チャネルに配置されるシステム情報は、システム帯域幅、ＨＡＲＱインディケータチャネルに配置されるＯＦＤＭシンボルの数を表す情報、ＨＡＲＱインディケータチャネルの数を制御する情報などから構成される。下りリンク共有データチャネルに配置されるシステム情報は、上りリンクと下りリンクの送信電力制御情報などから構成される。【００１２】
上りリンク共有データチャネルの受信に成功したか失敗したかを示す応答情報の送信に用いるＨＡＲＱインディケータチャネルについては図２９において図示せず、その配置は後述する。【００１３】
図２９において図示は省略しているが、下りリンク共有データチャネルおよび下りリンク制御チャネルなどのチャネル推定に用いる下りリンクパイロットチャネルは、１個のリソースエレメント単位で周波数方向と時間方向とに分散した予め決められたリソースエレメントの位置に配置される。【００１４】
図２９において図示は省略しているが、下りリンク制御チャネルを構成するＯＦＤＭシンボル数を示す制御フォーマットインディケータチャネルは１番目のＯＦＤＭシンボルの予め決められた周波数位置に配置される。
図２９では、下りリンク制御チャネルはサブフレームの１番目と２番目と３番目のＯＦＤＭシンボルに配置され、下りリンク共有データチャネルはその他のＯＦＤＭシンボルに配置された場合を示しているが、下りリンク制御チャネルが配置されるＯＦＤＭシンボルはサブフレーム単位で変化し、下りリンク制御チャネルは１番目のＯＦＤＭシンボルのみに配置されたり、１番目と２番目のＯＦＤＭシンボルに配置されたり、１番目から３番目までのＯＦＤＭシンボルに亘って配置されたりする。【００１５】
なお、同一のＯＦＤＭシンボルにおいて下りリンク制御チャネルと下りリンク共有データチャネルは一緒に配置されない。下りリンク制御チャネルには、複数の上りリンク無線リソース割当情報、下りリンク無線リソース割当情報、送信電力コマンド情報などが含まれる。【００１６】
図３０は、ＥＵＴＲＡの下りリンクのサブフレームにおける報知チャネルの配置を説明する図である（非特許文献２ 6.6.4節）。図３０において、横軸は時間軸、縦軸は周波数軸である。ここでは、説明の簡略化のため下りリンク共有データチャネルと報知チャネルのみ図示し、下りリンク制御チャネルなど、その他のチャネルは図示しない。
報知チャネルは、時間領域では無線フレームの１番目のサブフレームの２番目のスロットの１番目から４番目のＯＦＤＭシンボルで、周波数領域ではシステム帯域の中心７２個のサブキャリア、すなわち６個のＰＲＢに亘って配置する。
報知チャネルは、事前に定義された時間と周波数に配置するので、移動局装置は基地局装置と通信を開始する前にも受信することができる。【００１７】
図３１は、ＥＵＴＲＡのＨＡＲＱインディケータチャネル（PHICH；Physical HARQ Indicator channel）の周波数領域での符号多重に用いる直交符号を示した図である（非特許文献２）。ＨＡＲＱインディケータチャネルは、基地局装置が移動局装置から送信された上りリンク共有データチャネルを正しく受信できたか否かを示す応答情報を送信するチャネルである。例えば、応答情報は１ビットで表され、成功した場合は“１”、失敗した場合は“０”を示す。
ＥＵＴＲＡのＨＡＲＱインディケータチャネルでは、応答情報のビットをＢＰＳＫ変調（Binary Phase Shift Keying、２相位相変異変調）し、ＢＰＳＫ変調した変調信号に直交符号を用いて周波数領域で符号多重する。図３１では、例として系列長が４の直交符号を示しており、符号の番号が1番から４番までの直交符号は実軸に対して符号多重をする直交符号であり、符号の番号が５番から８番までの直交符号は虚軸に対して符号多重をする直交符号であり、合計で８つの直交符号を用いることで最大８つのＨＡＲＱインディケータチャネルを周波数領域で多重することができる。直交符号の系列長はＯＦＤＭシンボルに付加する巡回プリフィックス（Cyclic Prefix）の長さによって「２」と「４」のどちらかが選択される。【００１８】
図３２は、ＥＵＴＲＡにおける、移動局装置が送信する上りリンク共有データチャネルと基地局装置が送信するＨＡＲＱインディケータチャネルの対応を説明する図である（非特許文献３）。
図３２において、縦軸は符号多重に用いる符号の番号、横軸は複数のＨＡＲＱインディケータチャネルを符号多重して構成するＨＡＲＱインディケータチャネルのグループ（以下、「ＨＡＲＱインディケータチャネルグループ」という）の番号である。図３２では、例として符号の数が８でＨＡＲＱインディケータチャネルグループの数が３の場合を示している。ＨＡＲＱインディケータチャネルグループの数はシステム帯域に含まれる物理リソースブロックＰＲＢの数と、報知チャネルで与えられるＨＡＲＱインディケータチャネルの数を制御する情報によって決まる。
基地局装置が、移動局装置が送信した上りリンク共有データチャネルに対する応答情報を送信するのに用いるＨＡＲＱインディケータチャネルグループの番号と符号の番号は、下りリンク制御チャネルで送信する上りリンク無線リソース割当で示される上りリンクパイロットチャネルの巡回シフト（cyclic shift）の値と移動局装置に割り当てる上りリンク共有データチャネルのうち一番小さい物理リソースブロックＰＲＢの番号と関連付けられる。
移動局装置は、前記下りリンク制御情報に含まれる情報に基づき自移動局装置宛のＨＡＲＱインディケータチャネルグループの番号と符号の番号を認識する。
ＥＵＴＲＡでは、１つの基地局装置によって管轄され、通信に用いられる上りリンクと下りリンクの周波数帯域は１つずつが想定されており、上りリンク共有データチャネルが配置される上りリンクの周波数帯域とＨＡＲＱインディケータチャネルが配置される下りリンクの周波数帯域は一対一の関係に対応付けされていることが想定されている。【００１９】
図３３は、ＥＵＴＲＡのＨＡＲＱインディケータチャネルの配置を説明する図である（非特許文献２）。図３３において、横軸は時間軸、縦軸は周波数軸である。説明の便宜上、図３３では、周波数領域はシステム帯域幅を示し、時間領域はサブフレームの１番目から３番目のＯＦＤＭシンボルに配置された場合の下りリンク制御チャネルを示す。また、図３３ではＨＡＲＱインディケータチャネルの符号多重に用いる符号の系列長が４、ＨＡＲＱインディケータチャネルグループが２つの場合について示す。また、各ＨＡＲＱインディケータチャネルが３つのＯＦＤＭシンボルにわたって配置される場合について示す。
なお、説明を簡略化するために制御フォーマットインディケータチャネルと下りリンクパイロットチャネルは図示しない。【００２０】
１番目のＯＦＤＭシンボルでは、周波数領域の下側から順番に４つのリソースエレメントに対してＨＡＲＱインディケータチャネルグループ１のＨＡＲＱインディケータチャネルを配置する。
次に、ＨＡＲＱインディケータチャネルグループ１のＨＡＲＱインディケータチャネルを配置したリソースエレメントの次のリソースエレメントから４つのリソースエレメントにＨＡＲＱインディケータチャネルグループ２のＨＡＲＱインディケータチャネルを配置する。詳細に説明すると、例えば、応答情報のビットをＢＰＳＫ変調した変調信号に系列長４の符号の各符号要素を乗算した信号を各リソースエレメントに配置する。
２番目と３番目のＯＦＤＭシンボルには、１番目のＯＦＤＭシンボルに配置したのと同じ信号を配置する。つまり、同じ信号を周波数方向に多重する。ただし、２番目と３番目のＯＦＤＭシンボルに配置するときには、繰り返し配置するＨＡＲＱインディケータチャネルグループが周波数方向に均等に分散するように配置する。
図３３のように繰り返し配置するＨＡＲＱインディケータチャネルグループを３つのＯＦＤＭシンボルに分散して配置する場合以外に、繰り返し配置するＨＡＲＱインディケータチャネルグループを１番目のＯＦＤＭシンボルのみに集中して配置する場合があり、基地局装置がどちらの配置を行うかは報知チャネルで与えられるＨＡＲＱインディケータチャネルが配置されるＯＦＤＭシンボルの数を表す情報を用いて示される。
なお、本発明とは関連性がないため、マルチキャストチャネル、下りリンク同期チャネルに関する説明の詳細は省略する。【００２１】
図３４は、Ａ−ＥＵＴＲＡの下りリンク無線アクセス方式として提案されているレイヤードＯＦＤＭＡを説明する図である（非特許文献１）。図３４において、横軸は時間軸、縦軸は周波数軸である。
レイヤードＯＦＤＭＡのシステム帯域は、連続した複数の周波数帯域、または不連続な複数の周波数帯域から構成される。１つの周波数帯域で基地局装置と移動局装置で通信を行う状況と、複数の周波数帯域で同時に基地局装置と移動局装置で通信を行う状況がシステム帯域内で混在することが提案されている。
移動局装置の観点から説明すると、１つの周波数帯域しか同時に受信できない移動局装置と、複数の周波数帯域を同時に受信することができる移動局装置が混在することが提案されている。
以下、上記のような周波数帯域の単位を「サブバンド」という。換言すれば、サブバンドとは、基地局装置が無線リソースを周波数方向に分割した領域であって移動局装置との通信に用いる周波数領域を割り当てる単位となる領域である。また、基地局装置のシステム帯域を構成するサブバンドのサイズはそれぞれ異なってもよい。
図３４では、移動局装置ＵＥ１はサブバンド１からサブバンド５、つまり全帯域が、移動局装置ＵＥ２はサブバンド５が、移動局装置ＵＥ３はサブバンド１からサブバンド３が割り当てられている。
各移動局装置は、割り当てられたサブバンドの信号しか受信できないので、各移動局装置が割り当てられたサブバンドに各移動局装置に対する下りリンク制御チャネルを配置する。【００２２】
図３５は、Ａ−ＥＵＴＲＡの上りリンク無線アクセス方式として提案されている方式を説明する図である（非特許文献１）。図３５において、横軸は時間軸、縦軸は周波数軸である。図３５では、上りリンク無線アクセス方式がＳＣ−ＦＤＭＡで、上りリンクのシステム帯域が２つのサブバンドから構成され、移動局装置ＵＥ１はサブバンド１とサブバンド２を送信することができ、移動局装置ＵＥ２はサブバンド２を送信することができ、移動局装置ＵＥ３はサブバンド１を送信することができる場合を示している。
他の例としては、移動局装置ＵＥ１はサブバンド１かサブバンド２かサブバンド１とサブバンド２のリソースを基地局装置から割り当てられ、移動局装置ＵＥ２はサブバンド２のリソースのみを基地局装置から割り当てられ、移動局装置ＵＥ３はサブバンド１のリソースのみを基地局装置から割り当てられることができる場合を示している。つまり、上りリンクでも下りリンクと同じように、移動局装置の周波数帯域の利用を限定し、移動局装置は限定された周波数帯域でのみ基地局装置と通信することが提案されている。
【先行技術文献】
【非特許文献】
【００２３】
【非特許文献１】３ＧＰＰ  ＴＳＧ  ＲＡＮ１  ＃５３，Ｋａｎｓａｓ  Ｃｉｔｙ，ＵＳＡ，５−９  Ｍａｙ，２００８，Ｒ１−０８１９４８“Ｐｒｏｐｏｓａｌｓ  ｆｏｒ  ＬＴＥ−Ａｄｖａｎｃｅｄ  Ｔｅｃｈｎｏｌｏｇｉｅｓ”
【非特許文献２】３ＧＰＰ  ＴＳ３６．２１１‐ｖ８．３．０（２００８‐０５），Ｐｈｙｓｉｃａｌ  Ｃｈａｎｎｅｌｓ  ａｎｄ  Ｍｏｄｕｌａｔｉｏｎ（Ｒｅｌｅａｓｅ  ８）
【非特許文献３】３ＧＰＰ  ＴＳ３６．２１３‐ｖ８．３．０（２００８‐０５），Ｐｈｙｓｉｃａｌ  ｌａｙｅｒ  ｐｒｏｃｅｄｕｒｅｓ(Ｒｅｌｅａｓｅ ８)
【発明の概要】
【発明が解決しようとする課題】
【００２４】
しかしながら、基地局装置と移動局装置とが上りリンクと下りリンクにサブバンドを利用して通信する無線通信システムにおいて、従来のＨＡＲＱインディケータチャネルの配置では、サブバンドを限定された移動局装置は、ＨＡＲＱインディケータチャネルを受信できない場合があるという問題がある。つまり、サブバンドを限定された移動局装置は、当該移動局装置が利用できるサブバンド内にＨＡＲＱインディケータチャネルが配置されているときは、ＨＡＲＱインディケータチャネルを受信することができるが、当該移動局装置が利用できないサブバンド内にＨＡＲＱインディケータチャネルが配置されているときは、ＨＡＲＱインディケータチャネルを受信することができないという問題がある。
また、従来のＨＡＲＱインディケータチャネルの配置では、下りリンクの複数のサブバンドを利用できる移動局装置は、当該移動局装置が利用できる下りリンクの複数のサブバンドの何れにＨＡＲＱインディケータチャネルが配置されているかを知ることができず、ＨＡＲＱインディケータチャネルを受信することができないという問題がある。【００２５】
本発明は、このような事情に鑑みてなされたもので、その目的は、基地局装置と移動局装置とが上りリンクと下りリンクにサブバンドを利用して通信する無線通信システムにおいて、移動局装置が、応答情報を正しく受信できる技術を提供することである。
【課題を解決するための手段】
【００２６】
本発明の第１の態様は、基地局装置から上りリンク及び下りリンクについてそれぞれ複数のサブバンドが割り当てられ、前記基地局装置と通信を行う移動局装置であって、前記上りリンクについて割り当てられた複数の上りリンクサブバンドに含まれる第１及び第２の上りリンクサブバンドを用いて、前記基地局装置にデータを送信し、前記第１及び第２の上りリンクサブバンドを用いて送信されたデータに対するそれぞれの応答情報を、前記下りリンクについて割り当てられた複数の下りリンクサブバンドに含まれる１つの下りリンクサブバンドで前記基地局装置から受信することを特徴とする移動局装置である。
【００２７】
本発明の第１の態様において、前記応答情報は、前記基地局装置が前記移動局装置から受信したデータを正しく受信できたか否かを示す情報であり、ＨＡＲＱインディケータチャネルを用いて送信されても良い。
【００２８】
本発明の第１の態様において、前記基地局装置から割り当てられた複数の下りリンクサブバンドで、前記基地局装置からデータチャネルと制御チャネルを受信し、前記基地局装置から割り当てられた複数の上りリンクサブバンドで、前記基地局装置にデータチャネルと制御チャネルを送信するようにしても良い。
【００２９】
本発明の第１の態様において、前記サブバンドは、前記基地局装置が前記移動局装置に通信に用いる周波数帯域を割り当てる単位であり、複数の物理リソースブロックから構成されるようにしても良い。
【００３０】
本発明の第２の態様は、移動局装置に対して上りリンク及び下りリンクについてそれぞれ複数のサブバンドを割り当て、前記移動局装置と通信を行う基地局装置であって、前記上りリンクについて割り当てた複数の上りリンクサブバンドに含まれる第１及び第２の上りリンクサブバンドを用いて、前記移動局装置から送信されたデータを受信し、前記第１及び第２の上りリンクサブバンドを用いて送信されたデータに対するそれぞれの応答情報を、前記下りリンクについて割り当てた複数の下りリンクサブバンドに含まれる１つの下りリンクサブバンドで前記移動局装置に送信することを特徴とする基地局装置である。
【００３１】
本発明の第２の態様において、前記応答情報は、前記基地局装置が前記移動局装置から受信したデータを正しく受信できたか否かを示す情報であり、ＨＡＲＱインディケータチャネルで送信されるようにしても良い。
【００３２】
本発明の第２の態様において、前記移動局装置に割り当てた複数の下りリンクサブバンドで、前記移動局装置にデータチャネルと制御チャネルとを送信し、前記移動局装置に割り当てた複数の上りリンクサブバンドで、前記移動局装置からデータチャネルと制御チャネルとを受信するようにしても良い。
【００３３】
本発明の第３の態様は、複数の移動局装置に対して１つまたは複数の上りリンクサブバンド及び１つまたは複数の下りリンクサブバンドをそれぞれ割り当て、前記複数の移動局装置と通信を行う基地局装置であって、前記割り当てられた上りリンクサブバンドに含まれる１つの上りリンクサブバンドを用いて、前記複数の移動局装置のそれぞれからデータを受信し、前記複数の移動局装置のうちの２つの移動局装置から受信したデータに対する応答情報を、互いに異なる下りリンクサブバンドを用いて送信することを特徴とする基地局装置である。
【００３４】
本発明の第４の態様は、基地局装置から上りリンク及び下りリンクについてそれぞれ複数のサブバンドが割り当てられ、前記基地局装置と通信を行う移動局装置に用いられる無線通信方法であって、前記上りリンクについて割り当てられた複数の上りリンクサブバンドに含まれる第１及び第２の上りリンクサブバンドを用いて、前記基地局装置にデータを送信し、前記第１及び第２の上りリンクサブバンドを用いて送信されたデータに対するそれぞれの応答情報を、前記下りリンクについて割り当てられた複数の下りリンクサブバンドに含まれる１つの下りリンクサブバンドで前記基地局装置から受信することを特徴とする無線通信方法である。
【００３５】
本発明の第５の態様は、移動局装置に対して上りリンク及び下りリンクについてそれぞれ複数のサブバンドを割り当て、前記移動局装置と通信を行う基地局装置に用いられる無線通信方法であって、前記上りリンクについて割り当てた複数の上りリンクサブバンドに含まれる第１及び第２の上りリンクサブバンドを用いて、前記移動局装置から送信されたデータを受信し、前記第１及び第２の上りリンクサブバンドを用いて送信されたデータに対するそれぞれの応答情報を、前記下りリンクについて割り当てた複数の下りリンクサブバンドに含まれる１つの下りリンクサブバンドで前記移動局装置に送信することを特徴とする無線通信方法である。
【００３６】
本発明の第６の態様は、複数の移動局装置に対して１つまたは複数の上りリンクサブバンド及び１つまたは複数の下りリンクサブバンドをそれぞれ割り当て、前記複数の移動局装置と通信を行う基地局装置に用いられる無線通信方法であって、前記割り当てられた上りリンクサブバンドに含まれる１つの上りリンクサブバンドを用いて、前記複数の移動局装置のそれぞれからデータを受信し、前記複数の移動局装置のうちの２つの移動局装置から受信したデータに対する応答情報を、互いに異なる下りリンクサブバンドを用いて送信することを特徴とする無線通信方法である。
【００３７】
本発明の第７の態様は、移動局装置と、前記移動局装置に対して上りリンク及び下りリンクについて複数のサブバンドをそれぞれ割り当て、前記移動局装置と通信を行う基地局装置とから構成される無線通信システムであって、前記基地局装置は、前記上りリンクについて割り当てた複数の上りリンクサブバンドに含まれる第１及び第２の上りリンクサブバンドを用いて、前記移動局装置から送信されたデータを受信し、前記第１及び第２の上りリンクサブバンドを用いて送信されたデータに対するそれぞれの応答情報を、前記下りリンクについて割り当てた複数の下りリンクサブバンドに含まれる１つの下りリンクサブバンドで前記移動局装置に送信し、前記移動局装置は、前記応答情報を前記１つの下りリンクサブバンドで前記基地局装置から受信することを特徴とする無線通信システムである。
【００３８】
本発明の第８の態様は、複数の移動局装置と、前記複数の移動局装置に対して１つまたは複数の上りリンクサブバンド及び１つまたは複数の下りリンクサブバンドをそれぞれ割り当て、前記複数の移動局装置と通信を行う基地局装置とから構成される無線通信システムであって、前記基地局装置は、前記割り当てられた上りリンクサブバンドに含まれる１つの上りリンクサブバンドを用いて、前記複数の移動局装置のそれぞれからデータを受信し、前記複数の移動局装置のうちの２つの移動局装置から受信したデータに対する応答情報を、互いに異なる下りリンクサブバンドを用いて送信し、前記２つの移動局装置は、前記応答情報を前記基地局装置からそれぞれ受信することを特徴とする無線通信システムである。
【発明の効果】
【００４７】
本発明によれば、基地局装置と移動局装置とが上りリンクと下りリンクにサブバンドを利用して通信する無線通信システムにおいて、移動局装置が、応答情報（ＨＡＲＱインディケータチャネル）を正しく受信できる利点がある。
【図面の簡単な説明】
【００４８】
【図１】本実施形態における上りリンク無線フレームの概略構成を示す図である。
【図２】本実施形態における上りリンク無線フレームの移動局装置へのサブバンドの割り当てを説明する図である。
【図３】本実施形態における下りリンク無線フレームの概略構成を示す図である。
【図４】本実施形態における下りリンク無線フレームのサブバンドの移動局装置への割り当てを説明する図である。
【図５】本発明の実施形態における基地局装置の構成を示す概略ブロック図である。
【図６】図５の基地局装置の送信処理部の内部構成を示す概略ブロック図である。
【図７】図６の多重部による符号多重の方法を説明する図である。
【図８】図６の多重部によるＨＡＲＱインディケータチャネルグループ群の配置方法を説明する図である。
【図９】ＨＡＲＱインディケータチャネルグループ群を複製して配置する配置方法を説明する図である。
【図１０】ＨＡＲＱインディケータチャネルグループ群を複製して配置する他の配置方法を説明する図である。
【図１１】複数のＨＡＲＱインディケータチャネルグループ群を下りリンクの１つのサブバンドに配置する配置方法を説明する図である。
【図１２】複数のＨＡＲＱインディケータチャネルグループ群を下りリンクの１つのサブバンドに配置する他の配置方法を説明する図である。
【図１３】ＨＡＲＱインディケータチャネルグループを周波数方向に連続して配置する配置方法を説明する図である。
【図１４】ＨＡＲＱインディケータチャネルグループを周波数方向に連続して配置する他の配置方法を説明する図である。
【図１５】ＨＡＲＱインディケータチャネルを構成する複数のＨＡＲＱインディケータチャネルコンポーネントを周波数方向に分散して配置する方法を説明する図である。
【図１６】図１５に対して各上りリンクのサブバンドのＨＡＲＱインディケータチャネルグループ群の同一番目のＨＡＲＱインディケータチャネルコンポーネントグループ群を周波数方向に分散して配置する方法を説明する図である。
【図１７】ＨＡＲＱインディケータチャネル設定情報に設定する情報を説明する図である。
【図１８】ＨＡＲＱインディケータチャネル設定情報を送信する各チャネルの配置を説明する図である。
【図１９】図５の基地局装置の制御部による送信処理部に対する制御動作を説明するフローチャートである。
【図２０】本実施形態における移動局装置の構成を示す概略ブロック図である。
【図２１】図２０の移動局装置の受信処理部の内部構成を示す概略ブロック図である。
【図２２】図２０の移動局装置の受信処理部によるＨＡＲＱインディケータチャネルの受信動作を説明するフローチャートである。
【図２３】図２０の移動局装置の受信処理部によるＨＡＲＱインディケータチャネルの受信動作を説明するフローチャートである。
【図２４】図５の基地局装置の送信処理部の送信動作を説明するフローチャートである。
【図２５】図２０の移動局装置の受信処理部による受信動作を説明するフローチャートである。
【図２６】ＨＡＲＱインディケータチャネルグループ群の配置方法を説明する図である。
【図２７】ＥＵＴＲＡにおけるチャネルの概略構造を示す図である。
【図２８】ＥＵＴＲＡにおける上りリンク無線フレームの概略構成を示す図である。
【図２９】ＥＵＴＲＡにおける下りリンク無線フレームの概略構成を示す図である。
【図３０】ＥＵＴＲＡの下りリンクのサブフレームにおける報知チャネルの配置を説明する図である。
【図３１】ＥＵＴＲＡのＨＡＲＱインディケータチャネルの周波数領域での符号多重に用いる直交符号を示した図である。
【図３２】ＥＵＴＲＡにおける、移動局装置が送信する上りリンク共有データチャネルと基地局装置が送信するＨＡＲＱインディケータチャネルの対応を説明する図である。
【図３３】ＥＵＴＲＡのＨＡＲＱインディケータチャネルの配置を説明する図である。
【図３４】Ａ−ＥＵＴＲＡの下りリンク無線アクセス方式として提案されているレイヤードＯＦＤＭＡを説明する図である。
【図３５】Ａ−ＥＵＴＲＡの上りリンク無線アクセス方式として提案されている方式を説明する図である。
【発明を実施するための形態】
【００４９】
以下、図面を参照し、本発明の実施形態について説明する。本実施形態による無線通信システムは、複数の移動局装置２と、基地局装置１とを具備する。複数の移動局装置２と基地局装置１とは、無線通信によって、相互に信号（情報）を送受信する。基地局装置１から移動局装置２への無線通信の下りリンクは、下りリンク共有データチャネル、制御フォーマットインディケータチャネル、ＨＡＲＱインディケータチャネル、報知チャネル、下りリンク制御チャネルおよび下りリンクパイロットチャネルを備える。また、移動局装置２から基地局装置１への無線通信の上りリンクは、上りリンク制御チャネル、上りリンク共有データチャネルおよび上りリンクパイロットチャネルを備える。
【００５０】
図１は、本実施形態における上りリンク無線フレーム（無線リソース）の概略構成を示す図である。図１において、横軸は時間軸、縦軸は周波数軸である。上りリンク無線フレームは、各移動局装置２への無線リソース割り当てなどの単位であり、予め決められた幅の周波数帯および時間帯からなる物理リソースブロックＰＲＢ（Physical Resource Block）ペアから構成されている。基本的に１個の物理リソースブロックＰＲＢペアは時間領域で連続する２個の物理リソースブロックＰＲＢから構成される。
【００５１】
１個の物理リソースブロックＰＲＢは周波数領域において１２個のサブキャリアから構成され、時間領域において７個のＳＣ−ＦＤＭＡシンボルから構成される。システム帯域幅は、基地局装置１の通信帯域幅であり、上りリンク無線フレームでは、システム帯域幅に応じて複数のＰＲＢが配置される。時間領域においては、７個のＳＣ−ＦＤＭＡシンボルから構成されるスロット、２個のスロットから構成されるサブフレーム、１０個のサブフレームから構成される無線フレームがある。また、上りリンク無線フレームではシステム帯域幅に応じて複数の物理リソースブロックＰＲＢが配置される。
【００５２】
各サブフレームには少なくとも、情報データの送信に用いる上りリンク共有データチャネル、制御データの送信に用いる上りリンク制御チャネルが配置される。上りリンク共有データチャネルおよび上りリンク制御チャネルのチャネル推定に用いる上りリンクパイロットチャネルについても配置されるが、説明の簡略化のため図１においては図示を省略する。図1では、上りリンク制御チャネルはシステム帯域幅の１番目の物理リソースブロックＰＲＢと最後の物理リソースブロックＰＲＢに配置され、上りリンク共有データチャネルはその他の物理リソースブロックＰＲＢに配置された場合を示しているが、上りリンク制御チャネルが配置される物理リソースブロックＰＲＢの数は基地局装置1の報知チャネルのシステム情報によって制御される。
上りリンク制御チャネルには、チャネル品質インディケータ、スケジューリング要求インディケータなどが含まれる。
【００５３】
図２は、本実施形態における上りリンク無線フレーム（無線リソース）の移動局装置２へのサブバンドの割り当てを説明する図である。図２において、横軸は時間軸、縦軸は周波数軸である。図２では、上りリンク無線フレームのシステム帯域幅が２つのサブバンドから構成される。サブバンドには周波数の低いサブバンドから順番に番号をつける。図２では、移動局装置ＵＥ１にはサブバンド１とサブバンド２が割り当てられ、移動局装置ＵＥ２にはサブバンド２が割り当てられ、移動局装置ＵＥ３にはサブバンド１が割り当てられている。
【００５４】
図３は、本実施形態における下りリンク無線フレームの概略構成を示す図である。図３において、横軸は時間軸、縦軸は周波数軸である。下りリンク無線フレームは、上りリンク無線フレームと同じように物理リソースブロックＰＲＢペアから構成されている。基本的に１個の物理リソースブロックＰＲＢペアは時間領域で連続する２個の物理リソースブロックＰＲＢから構成される。
【００５５】
下りリンク無線フレームでは、１個の物理リソースブロックＰＲＢは周波数領域において１２個のサブキャリアから構成され、時間領域において７個のＯＦＤＭシンボルから構成される。システム帯域幅は、基地局装置１の通信帯域幅である。時間領域においては、７個のＯＦＤＭシンボルから構成されるスロット、２個のスロットから構成されるサブフレーム、１０個のサブフレームから構成される無線フレームがある。なお、１個のサブキャリアと１個のＯＦＤＭシンボルから構成されるユニットをリソースエレメントという。また、下りリンク無線フレームではシステム帯域幅に応じて複数の物理リソースブロックＰＲＢが配置される。
【００５６】
各サブフレームには少なくとも、情報データとシステム情報の送信に用いる下りリンク共有データチャネル、制御データの送信に用いる下りリンク制御チャネルが配置される。下りリンク共有データチャネル内の情報データとシステム情報の配置は下りリンク制御チャネルで示される。
【００５７】
システム情報の送信に用いる報知チャネルについては図３においては図示せず、その配置は後述する。システム情報は、基地局装置１と移動局装置２が通信するのに必要な情報から構成されており、報知チャネルと下りリンク共有データチャネルで複数の移動局装置２に向かって周期的に送信される。なお、報知チャネルと下りリンク共有データチャネルに配置されるシステム情報は異なる。
【００５８】
また、移動局装置２が送信した上りリンク共有データチャネルの受信に成功したか失敗したかを示す応答情報の送信に用いるＨＡＲＱインディケータチャネルについては図３において図示せず、その配置は後述する。下りリンク共有データチャネルおよび下りリンク制御チャネルのチャネル推定に用いる下りリンクパイロットチャネルについては説明の簡略化のため図３においては図示を省略する。
【００５９】
説明の簡略化のため図３において図示は省略しているが、下りリンク制御チャネルを構成するＯＦＤＭシンボル数を示す制御フォーマットインディケータチャネルはサブフレーム毎に１番目のＯＦＤＭシンボルの予め決められた周波数位置に配置される。図３では、下りリンク制御チャネルがサブフレームの１番目、２番目および３番目のＯＦＤＭシンボルに配置され、下りリンク共有データチャネルがそれ以外のＯＦＤＭシンボルに配置された場合を示しているが、下りリンク制御チャネルが配置されるＯＦＤＭシンボルはサブフレーム単位で変化する。
【００６０】
なお、同一のＯＦＤＭシンボルにおいて下りリンク制御チャネルと下りリンク共有データチャネルは一緒に配置されない。また、下りリンク制御チャネルには、複数の上りリンク無線リソース割当情報、下りリンク無線リソース割当情報、送信電力コマンド情報が含まれる。
【００６１】
図４は、本実施形態における下りリンク無線フレーム（無線リソース）のサブバンドの移動局装置２への割り当てを説明する図である。図４において、横軸は時間軸、縦軸は周波数軸である。図４では、下りリンク無線フレームのシステム帯域幅が５つのサブバンドから構成される。サブバンドには周波数の低いサブバンドから順番に番号をつける。図４では、移動局装置ＵＥ１にはサブバンド１からサブバンド５、つまり全てのサブバンドが割り当てられ、移動局装置ＵＥ２にはサブバンド５が割り当てられ、移動局装置ＵＥ３にはサブバンド１からサブバンド３が割り当てられている。各移動局装置２は、割り当てられたサブバンドに含まれる下りリンク制御チャネルと下りリンク共有データチャネルなどを受信する。
【００６２】
本実施形態の基地局装置１は、ＨＡＲＱインディケータチャネルを下りリンク制御チャネルと周波数多重配置し、ＨＡＲＱインディケータチャネル間は周波数多重と符号多重して配置し、移動局装置２に送信する。また、基地局装置１は、ＨＡＲＱインディケータチャネルグループ群（後述）のサブバンドへの配置に関するＨＡＲＱインディケータチャネル設定情報（「応答情報群設定情報」とも称する）、つまり、下りリンクのサブバンドに配置されるＨＡＲＱインディケータチャネルグループ群の個数を示す情報と、配置されたＨＡＲＱインディケータチャネルグループ群が上りリンクの何れのサブバンドに対するものであるかを示す情報（ＨＡＲＱインディケータチャネルグループ群に対応する上りリンクのサブバンドを示す情報）を送信するチャネルを下りリンクのサブバンド毎に配置し、移動局装置２に送信する。ＨＡＲＱインディケータチャネル設定情報は、下りリンク共有データチャネルに配置するシステム情報、報知チャネルに配置するシステム情報、または制御フォーマットインディケータチャネルの何れかに含める。
【００６３】
図５は、本発明の実施形態における基地局装置１の構成を示す概略ブロック図である。図５に示すように、基地局装置１は、無線リソース制御部１０、制御部１１、受信処理部１２、送信処理部１３を具備する。無線リソース制御部１０は、移動局装置２との間欠送受信サイクル、下りリンク共有データチャネルの変調方式・符号化率、送信電力、下りリンク共有データチャネルの無線リソース割り当て、下りリンク制御チャネルを構成するＯＦＤＭシンボル数、下りリンク制御チャネルや下りリンク共有データチャネルやＨＡＲＱインディケータチャネルなどの多重などを管理し、これら管理内容を指示する制御信号を制御部１１に出力するともに、制御部１１、送信処理部１３を通して移動局装置２に制御フォーマットインディケータ、制御データ、システム情報、応答情報として通知する。
【００６４】
制御部１１は、無線リソース制御部１０から入力された制御信号に基づいて送信処理部１３と受信処理部１２の制御を行うために、送信処理部１３と受信処理部１２に制御信号を出力する。制御部１１は、各チャネルのリソースエレメントへの配置設定、ＨＡＲＱインディケータチャネルに乗算する直交符号の設定などの制御を、送信処理部１３および受信処理部１２に対して行う。
【００６５】
また、制御部１１は、受信処理部１２から入力されるＨＡＲＱインディケータチャネルに配置する応答情報、および、無線リソース制御部１０から入力される報知チャネルと下りリンク共有データチャネルに配置するシステム情報、制御フォーマットインディケータチャネルに配置する制御フォーマットインディケータ、下りリンク制御チャネルに配置する制御データを生成し、送信処理部１３に送信を指示する。
【００６６】
送信処理部１３は、制御部１１からの入力に基づき、下りリンク共有データチャネル、制御フォーマットインディケータチャネル、ＨＡＲＱインディケータチャネル、報知チャネル、下りリンク制御チャネル、下りリンクパイロットチャネルを生成し、各チャネルを下りリンク無線フレームに多重し、複数の、例えば４つの送信アンテナを介して、各移動局装置２に送信する。
【００６７】
受信処理部１２は、制御部１１からの入力に基づき、各移動局装置２が送信した上りリンク制御チャネル、上りリンク共有データチャネル、上りリンクパイロットチャネルの受信を、受信アンテナを介して行う。また、上りリンク共有データチャネルの受信に成功したか失敗したかを示す応答情報を制御部１１に出力する。なお、本発明とは直接の関連がないため、上りリンクに関する処理（受信処理部）の説明は省略する。
【００６８】
図６は、図５の基地局装置１の送信処理部１３の内部構成を示す概略ブロック図である。基地局装置１の送信処理部１３は、複数の下りリンク共有データチャネル処理部１００と、制御フォーマットインディケータチャネル処理部１１０と、複数のＨＡＲＱインディケータチャネル処理部１２０と、報知チャネル処理部１３０と、複数の下りリンク制御チャネル処理部１４０と、下りリンクパイロットチャネル生成部１５０と、多重部１６０と、送信アンテナ毎送信処理部１７０とを具備する。複数の下りリンク共有データチャネル処理部１００、複数のＨＡＲＱインディケータチャネル処理部１２０、複数の送信アンテナ毎送信処理部１７０は、各々同様の構成および機能を有する。
【００６９】
各チャネル処理部は、外部から入力された情報データ、および、制御部１１から入力されたシステム情報、応答情報などについて各チャネルの処理を行う。すなわち各々のチャネル処理部は、該チャネルで送信する情報を受けて、符号化および変調を行い、該移動局装置２宛ての信号、または、認識していない他の多数の移動局装置２宛の信号を生成する。各チャネル処理部は、これらの符号化を行う符号化部と、これらのデータ変調を行う変調部とを具備する。符号化に用いる符号およびデータ変調に用いる変調方式は各チャネル処理部によって異なる。
【００７０】
送信アンテナ毎送信処理部１７０の各々は、多重部１６０が各送信アンテナ向けに多重した信号を、各送信アンテナを介して送信する。送信アンテナ毎送信処理部１７０の各々は、ＩＦＦＴ（Inverse Fast Fourier Transform：高速逆フーリエ変換）部１７１と、ＧＩ（Guard Interval：ガードインターバル）挿入部１７２と、Ｄ／Ａ（Digital to Analogue；ディジタル／アナログ変換）部１７３と、送信ＲＦ（Radio Frequency；無線周波数）部１７４とを具備する。ＩＦＦＴ部１７１、ＧＩ挿入部１７２、Ｄ／Ａ部１７３および送信ＲＦ部１７４の各機能は後述する。
【００７１】
下りリンク共有データチャネル処理部１００の各々は、外部から入力された情報データ、および、制御部１１から入力されたシステム情報（以下、情報データとシステム情報とをあわせて「データ」という）をＯＦＤＭ方式で伝送するためのベースバンド処理を行う。すなわち、下りリンク共有データチャネル処理部１００のターボ符号化部１０１は、入力されたデータの誤り耐性を高めるためのターボ符号による誤り訂正符号化を行う。データ変調部１０２は、制御部１１からの制御信号に基づきＱＰＳＫ、１６ＱＡＭ（１６Quadrature Amplitude Modulation；１６値直交振幅変調）、６４ＱＡＭ（６４Quadrature Amplitude Modulation；６４値直交振幅変調）等のような変調方式で、ターボ符号化部１０１により誤り訂正符号化されたデータを変調して、変調シンボルを生成し、多重部１６０に出力する。
【００７２】
制御フォーマットインディケータチャネル処理部１１０は、制御部１１から入力された制御フォーマットインディケータをＯＦＤＭ方式で伝送するためのベースバンド処理を行う。すなわち、制御フォーマットインディケータチャネル処理部１１０のブロック符号化部１１１は、入力された制御フォーマットインディケータの誤り耐性を高めるためのブロック符号による誤り訂正符号化を行う。ＱＰＳＫ変調部１１２は、ＱＰＳＫ変調方式で、ブロック符号化部１１１により誤り訂正符号化された制御フォーマットインディケータをＱＰＳＫ変調して、変調シンボルを生成し、多重部１６０に出力する。
【００７３】
ＨＡＲＱインディケータチャネル処理部１２０の各々は、制御部１１から入力された応答情報をＯＦＤＭ方式で伝送するためのベースバンド処理を行う。すなわち、ＨＡＲＱインディケータチャネル処理部１２０の反復符号化部１２１は、入力されたＨＡＲＱインディケータチャネルの誤り耐性を高めるための反復符号による誤り訂正符号化を行う。ＢＰＳＫ変調部１２２は、ＢＰＳＫ変調方式で、反復符号化部１２１により誤り訂正符号化されたデータをＢＰＳＫ変調する。符号乗算部１２３は、ＢＰＳＫ変調された応答情報に対し直交符号を乗算し、変調シンボルを生成し、多重部１６０に出力する。
【００７４】
報知チャネル処理部１３０は、制御部１１から入力されたシステム情報をＯＦＤＭ方式で伝送するためのベースバンド処理を行う。すなわち、報知チャネル処理部１３０の畳込み符号化部１３１は、入力されたシステム情報の誤り耐性を高めるための畳込み符号による誤り訂正符号化を行う。ＱＰＳＫ変調部１３２は、ＱＰＳＫ変調方式で、畳込み符号化部１３１により誤り訂正符号化されたシステム情報を変調して、変調シンボルを生成し、多重部１６０に出力する。
【００７５】
下りリンク制御チャネル処理部１４０の各々は、制御部１１から入力された制御データをＯＦＤＭ方式で伝送するためのベースバンド処理を行う。すなわち、下りリンク制御チャネル処理部１４０の畳込み符号化部１４１は、入力されたシステム情報の誤り耐性を高めるための畳込み符号による誤り訂正符号化を行う。ＱＰＳＫ変調部１４２は、ＱＰＳＫ変調方式で、畳込み符号化部１４１により誤り訂正符号化された制御データを変調して、変調シンボルを生成し、多重部１６０に出力する。
【００７６】
下りリンクパイロットチャネル生成部１５０は、下りリンクパイロットチャネルで基地局装置１の各送信アンテナが送信する下りリンク制御チャネルや下りリンク共有データチャネルなどの伝播路推定・伝播路補償に用いる下りリンクパイロットシンボルを生成し、多重部１６０に出力する。
【００７７】
多重部１６０は、制御部１１からの制御信号に基づいて、各チャネル処理部が出力した符号化および変調等の処理済のデータと制御フォーマットインディケータと応答情報とシステム情報と制御データの変調シンボルと、下りリンクパイロットシンボルを各送信アンテナ向けのリソースエレメントに配置する。下りリンク共有データチャネル、制御フォーマットインディケータチャネル、ＨＡＲＱインディケータチャネル、報知チャネル、下りリンク制御チャネルのリソースエレメントへの具体的な配置方法については後述する。
【００７８】
ＩＦＦＴ部１７１は、多重部１６０により各送信アンテナ向けのリソースエレメントに変調シンボル、下りリンクパイロットシンボルを配置した信号を高速逆フーリエ変換して、ＯＦＤＭ方式の変調を行う。ＧＩ挿入部１７２は、ＩＦＦＴ部１７１によりＯＦＤＭ変調済みの信号にガードインターバルを付加することで、ＯＦＤＭシンボルを生成し、ベースバンドのディジタル信号を生成する。ガードインターバルは、伝送するシンボルの先頭又は末尾の一部を複製する公知の方法によって得る。Ｄ／Ａ部１７３は、ＧＩ挿入部１７２から入力されたベースバンドのディジタル信号をアナログ信号に変換する。
【００７９】
送信ＲＦ部１７４は、Ｄ／Ａ部１７３から入力されたアナログ信号から、中間周波数の同相成分および直交成分を生成し、中間周波数帯域に対する余分な周波数成分を除去し、中間周波数の信号を高周波数の信号に変換（アップコンバート）し、余分な周波数成分を除去し、電力増幅し、対応する送信アンテナに出力して送信する。基地局装置１は、送信アンテナ毎送信処理部１７０を、送信に使用される送信アンテナの数だけ、すなわち、本実施形態では４つ具備し、送信アンテナ毎送信処理部１７０の各々は、多重部１６０が出力した各送信アンテナ向けの信号のうち、対応する送信アンテナ向けの信号を処理する。
【００８０】
図７は、図６の多重部１６０によるＨＡＲＱインディケータチャネルの符号多重の方法を説明する図である。図７では、直交符号により８つのＨＡＲＱインディケータチャネルが符号多重され、ＨＡＲＱインディケータチャネルグループ（応答情報グループ）を構成する。基地局装置１は、移動局装置２が送信した上りリンク共有データチャネルを受信した場合、該上りリンク共有データチャネルに対する応答情報を送信するＨＡＲＱインディケータチャネルが属するＨＡＲＱインディケータチャネルグループ、および、符号多重に用いる直交符号を、該上りリンク共有データチャネルに割り当てた一番周波数の低い物理リソースブロックＰＲＢに対応付ける。
なお、複数のＨＡＲＱインディケータチャネルグループの集合をＨＡＲＱインディケータチャネルグループ群（応答情報群）と呼ぶ。ＨＡＲＱインディケータチャネルグループ群の一例は、上りリンクの同じサブバンドに配置された複数のデータに対応するＨＡＲＱインディケータチャネルグループの集合である。
【００８１】
図８は、図６の多重部１６０によるＨＡＲＱインディケータチャネルグループ群の配置方法を説明する図である。図８において、横軸は時間軸、縦軸は周波数軸であり、下りリンクのシステム帯域は５つのサブバンドから構成されており、上りリンクのシステム帯域は２つのサブバンドから構成されている。また、上りリンクのサブバンド１に対応するＨＡＲＱインディケータチャネルグループ群は下りリンクのサブバンド１に配置し、上りリンクのサブバンド２に対応するＨＡＲＱインディケータチャネルグループ群は下りリンクのサブバンド５に配置している。つまり、ＨＡＲＱインディケータチャネルは、上りリンクのサブバンドに対応するＨＡＲＱインディケータチャネルグループ群単位で下りリンクのサブバンドに割り当てられる。また、ＨＡＲＱインディケータチャネルグループ群は下りリンク制御チャネルを配置するＯＦＤＭシンボルと周波数多重して配置し、移動局装置２に上りリンクのサブバンドを割り当てると共に該上りリンクのサブバンドに対応するＨＡＲＱインディケータチャネルグループ群を受信できるように下りリンクのサブバンドを割り当てる。
【００８２】
図８において、移動局装置ＵＥ１は、上りリンクについてサブバンド１とサブバンド２とが割り当てられ、下りリンクについてはサブバンド１からサブバンド５が割り当てられているが、上りリンクのサブバンド１に対応するＨＡＲＱインディケータチャネルグループ群を下りリンクのサブバンド１で受信し、上りリンクのサブバンド２に対応するＨＡＲＱインディケータチャネルグループ群を下りリンクのサブバンド５で受信することができる。
【００８３】
移動局装置ＵＥ２は、上りリンクについてサブバンド２が割り当てられ、下りリンクについてはサブバンド５が割り当てられているが、上りリンクのサブバンド２に対応するＨＡＲＱインディケータチャネルグループ群を下りリンクのサブバンド５で受信することができる。
【００８４】
移動局装置ＵＥ３は、上りリンクについてサブバンド１が割り当てられ、下りリンクについてはサブバンド１からサブバンド３が割り当てられているが、上りリンクのサブバンド１に対応するＨＡＲＱインディケータチャネルグループ群を下りリンクのサブバンド１で受信することができる。
【００８５】
多重部１６０は、ＨＡＲＱインディケータチャネルグループ群を複製して複数の下りリンクのサブバンドに配置してもよい。図９は、ＨＡＲＱインディケータチャネルグループ群を複製して配置する配置方法を説明する図である。図９では、図８のＨＡＲＱインディケータチャネルグループ群の配置に更に上りリンクのサブバンド２に対応するＨＡＲＱインディケータチャネルグループ群を複製して下りリンクのサブバンド２に配置している。図９に示す例において、下りリンクのサブバンド１に上りリンクのサブバンド１に対応するＨＡＲＱインディケータチャネルグループ群が配置され、下りリンクのサブバンド２および下りリンクのサブバンド５に、上りリンクのサブバンド２に対応するＨＡＲＱインディケータチャネルグループ群が配置されている。
【００８６】
図９において、移動局装置ＵＥ３は、上りリンクについてサブバンド１とサブバンド２とが割り当てられ、下りリンクについてはサブバンド１からサブバンド３が割り当てられているが、上りリンクのサブバンド１に対応するＨＡＲＱインディケータチャネルグループ群を下りリンクのサブバンド１で受信し、上りリンクのサブバンド２に対応するＨＡＲＱインディケータチャネルグループ群を下りリンクのサブバンド２で受信することができる。
【００８７】
多重部１６０は、異なる上りリンクのサブバンドに対応するＨＡＲＱインディケータチャネルグループ群を同じ下りリンクのサブバンドに配置してもよい。図１０は、ＨＡＲＱインディケータチャネルグループ群を複製して配置する他の配置方法を説明する図である。図１０では、図８のＨＡＲＱインディケータチャネルグループ群の配置に更に上りリンクのサブバンド２に対応するＨＡＲＱインディケータチャネルグループ群を複製して下りリンクのサブバンド１に配置している。図１０に示す例において、下りリンクのサブバンド１に上りリンクのサブバンド１に対応するＨＡＲＱインディケータチャネルグループ群およびサブバンド２に対応するＨＡＲＱインディケータチャネルグループ群が配置され、下りリンクのサブバンド５に上りリンクのサブバンド２に対応するＨＡＲＱインディケータチャネルグループ群が配置されている。
【００８８】
図１０において、移動局装置ＵＥ３は、上りリンクについてサブバンド１とサブバンド２とが割り当てられ、下りリンクについてはサブバンド１からサブバンド３が割り当てられているが、上りリンクのサブバンド１に対応するＨＡＲＱインディケータチャネルグループ群および上りリンクのサブバンド２に対応するＨＡＲＱインディケータチャネルグループ群を下りリンクのサブバンド１で受信することができる。
【００８９】
図９と図１０において、ＨＡＲＱインディケータチャネルグループ群を複製して配置する配置方法を説明したが、ＨＡＲＱインディケータチャネルグループ群を配置する下りリンクのサブバンドを受信することができる移動局装置２に対するＨＡＲＱインディケータチャネルだけでＨＡＲＱインディケータチャネルグループ群を構成してもよい。例えば、図９において、下りリンクのサブバンド２に配置する上りリンクのサブバンド２に対応するＨＡＲＱインディケータチャネルグループ群は、下りリンクのサブバンド２を受信することができる移動局装置ＵＥ１と移動局装置ＵＥ３のような複数の移動局装置２が上りリンクのサブバンド２に配置した複数のデータに対応するＨＡＲＱインディケータチャネルからＨＡＲＱインディケータチャネルグループおよびＨＡＲＱインディケータチャネルグループ群を構成してもよい。換言すれば、下りリンクのサブバンド２のＨＡＲＱインディケータチャネルグループ群には、移動局装置ＵＥ２のように下りリンクのサブバンド２を受信することができない移動局装置２が上りリンクのサブバンド２に配置したデータに対応するＨＡＲＱインディケータチャネルを含めない。
【００９０】
図１１および図１２は、複数のＨＡＲＱインディケータチャネルグループ群を下りリンクの１つのサブバンドに配置する配置方法を説明する図である。図１１および図１２では、下りリンクの１つのサブバンドに複数のＨＡＲＱインディケータチャネルグループ群を配置している。図１１および図１２において、横軸は時間軸、縦軸は周波数軸であり、時間領域において１つのサブフレーム分、周波数領域において１つのサブバンド分だけを示し、説明の簡略化のために下りリンク制御チャネルと下りリンク共有データチャネルとＨＡＲＱインディケータチャネルグループ群のみを示す。なお、図１１および図１２は、上りリンクのサブバンドが４つあることを想定し、下りリンクの１つのサブバンドに、上りリンクのサブバンド１に対応するＨＡＲＱインディケータチャネルグループ群、および、サブバンド３に対応するＨＡＲＱインディケータチャネルグループ群の２つを配置する例である。
【００９１】
図１１および図１２は、上りリンクの各サブバンドに対応する各ＨＡＲＱインディケータチャネルグループ群を、対応する上りリンクのサブバンドの番号の小さい順に周波数方向に連続して配置する例である。図１１は、上りリンクのサブバンド１に対応するＨＡＲＱインディケータチャネルグループ群を、ＨＡＲＱインディケータチャネルグループ群を配置する位置として予め決められた位置、例えば1番目のＯＦＤＭシンボルの下側周波数より配置し、上りリンクのサブバンド３に対応するＨＡＲＱインディケータチャネルグループ群を続く周波数に配置する。つまり、実際に配置すべきＨＡＲＱインディケータチャネルグループ群を、対応している上りリンクのサブバンドの番号の小さい順に周波数方向に連続して配置する。
【００９２】
図１２は、上りリンクのサブバンド１に対応するＨＡＲＱインディケータチャネルグループ群を、上りリンクのサブバンド１に対応するＨＡＲＱインディケータチャネルグループ群を配置する位置として予め決められた位置、例えば1番目のＯＦＤＭシンボルの下側周波数より配置し、上りリンクのサブバンド３に対応するＨＡＲＱインディケータチャネルグループ群を、上りリンクのサブバンド３に対応するＨＡＲＱインディケータチャネルグループ群を配置する位置として予め決められた位置に配置する。つまり、上りリンクの４つのサブバンドに対応するＨＡＲＱインディケータチャネルグループ群を配置する位置を予め決めておき、実際に配置すべきＨＡＲＱインディケータチャネルグループ群を該当する位置に配置する。
【００９３】
このとき、上りリンクのサブバンド２とサブバンド４に対応するＨＡＲＱインディケータチャネルグループ群を配置するために確保したリソースエレメントは下りリンク制御チャネルなどの他のチャネルが再利用してもよい。
【００９４】
以上、ＨＡＲＱインディケータチャネルグループの集合であるＨＡＲＱインディケータチャネルグループ群単位で信号を配置する方法を説明したが、ＨＡＲＱインディケータチャネルグループ単位で信号を配置してもよい。
【００９５】
図１３および図１４は、ＨＡＲＱインディケータチャネルグループを周波数方向に連続して配置する配置方法を説明する図である。図１３および図１４において、横軸は時間軸、縦軸は周波数軸であり、時間領域において１つのサブフレーム分、周波数領域において１つのサブバンド分だけを示し、説明の簡略化のために下りリンク制御チャネルと下りリンク共有データチャネルとＨＡＲＱインディケータチャネルグループのみを示す。なお、図１３および図１４は、上りリンクのサブバンドが３つあり、各上りリンクのサブバンドに対応するＨＡＲＱインディケータチャネルグループ群は２つのＨＡＲＱインディケータチャネルグループから構成されることを想定し、下りリンクのサブバンドに、上りリンクのサブバンド１に対応するＨＡＲＱインディケータチャネルグループ群、上りリンクのサブバンド２に対応するＨＡＲＱインディケータチャネルグループ群、および、サブバンド３に対応するＨＡＲＱインディケータチャネルグループ群の３つを配置する例である。
【００９６】
図１３は、サブフレームの１番目のＯＦＤＭシンボルの下側の周波数から順番に、上りリンクのサブバンド１に対応する1つ目のＨＡＲＱインディケータチャネルグループを配置し、次に上りリンクのサブバンド２に対応する1つ目のＨＡＲＱインディケータチャネルグループを配置し、次に上りリンクのサブバンド３に対応する1つ目のＨＡＲＱインディケータチャネルグループを配置し、このように上りリンクの各サブバンドに対応する１つ目のＨＡＲＱインディケータチャネルグループを全て配置したら、上りリンクの各サブバンドに対応する2つ目のＨＡＲＱインディケータチャネルグループも同様に配置する。つまり、対応する上りリンクのサブバンドが異なるＨＡＲＱインディケータチャネルグループを交互に配置している。
【００９７】
図１４は、サブフレームの１番目のＯＦＤＭシンボルの下側の周波数から順番に、上りリンクのサブバンド１に対応する1つ目のＨＡＲＱインディケータチャネルグループから２つ目のＨＡＲＱインディケータチャネルグループまでを連続して配置し、次に上りリンクのサブバンド２に対応する1つ目のＨＡＲＱインディケータチャネルグループから２つ目のＨＡＲＱインディケータチャネルグループを配置し、最後に上りリンクのサブバンド３に対応する1つ目のＨＡＲＱインディケータチャネルグループから２つ目のＨＡＲＱインディケータチャネルグループを配置する。つまり、対応する上りリンクのサブバンドが同じＨＡＲＱインディケータチャネルグループを集中して配置している。
【００９８】
従って、ＨＡＲＱインディケータチャネルグループの配置方法を予め決め、移動局装置２が当該配置方法を記憶しておけば、移動局装置２は、下りリンクのサブバンドに含まれるＨＡＲＱインディケータチャネルグループ群の数から所望のＨＡＲＱインディケータチャネルグループが何れの位置に配置されているかを認識することができる。
【００９９】
また、本実施形態では、ＨＡＲＱインディケータチャネルは入力したビットと同じ値のビットを複数回繰り返す反復符号化をしてから直交符号を乗算し、符号多重をしている。1つのＨＡＲＱインディケータチャネルは直交符号の系列長と同じ長さの信号群（以下、「ＨＡＲＱインディケータチャネルコンポーネント」という）を複数回繰り返す。複数のＨＡＲＱインディケータチャネルコンポーネントを周波数方向に分散して配置する。
【０１００】
図１５は、ＨＡＲＱインディケータチャネルを構成する複数のＨＡＲＱインディケータチャネルコンポーネントを周波数方向に分散して配置する方法を説明する図である。図１５では、図１１において１つのＨＡＲＱインディケータチャネルを構成する複数のＨＡＲＱインディケータチャネルコンポーネントを周波数方向に分散して配置している。図１５において、横軸は時間軸、縦軸は周波数軸であり、時間領域において１つのサブフレーム分、周波数領域において１つのサブバンド分だけを示し、説明の簡略化のために下りリンク制御チャネルと下りリンク共有データチャネルとＨＡＲＱインディケータチャネルグループ群のみを示す。なお、図１５は、下りリンクのサブバンドに、上りリンクのサブバンド１に対応するＨＡＲＱインディケータチャネルグループ群、および、上りリンクのサブバンド３に対応するＨＡＲＱインディケータチャネルグループ群が配置され、各上りリンクのサブバンドに対応するＨＡＲＱインディケータチャネルグループ群は２つのＨＡＲＱインディケータチャネルグループから構成され、ＨＡＲＱインディケータチャネルグループの各ＨＡＲＱインディケータチャネルは３つのＨＡＲＱインディケータチャネルコンポーネントから構成される例である。
【０１０１】
図１５において、四角「１−１」は、上りリンクのサブバンド１に対応するＨＡＲＱインディケータチャネルグループ１を構成するＨＡＲＱインディケータチャネルを構成するＨＡＲＱインディケータチャネルコンポーネントを符号多重したもの（以下、「ＨＡＲＱインディケータチャネルコンポーネントグループ」という）を示し、四角「１−２」は、上りリンクのサブバンド１に対応するＨＡＲＱインディケータチャネルグループ２を構成するＨＡＲＱインディケータチャネルを構成するＨＡＲＱインディケータチャネルコンポーネントを符号多重したＨＡＲＱインディケータチャネルコンポーネントグループを示す。四角「３−１」、四角「３−２」についても同様である。四角「１」「３」のまとまりは、繰り返して配置する上りリンクのサブバンド１およびサブバンド３に対応するＨＡＲＱインディケータチャネルコンポーネントグループから構成されるもの（以下、「ＨＡＲＱインディケータチャネルコンポーネントグループ群」という）を示す。つまり図１５において、サブバンドには、６つのＨＡＲＱインディケータチャネルコンポーネントグループ群が存在し、各ＨＡＲＱインディケータチャネルコンポーネントグループ群は、２つのＨＡＲＱインディケータチャネルコンポーネントグループから構成され、各ＨＡＲＱインディケータチャネルコンポーネントグループは、複数のＨＡＲＱインディケータチャネルコンポーネントから構成されている。
【０１０２】
図１５の例では、３つのＨＡＲＱインディケータチャネルコンポーネントグループ群を周波数方向に離れた位置に配置する。１つ目のＨＡＲＱインディケータチャネルコンポーネントグループ群として、１番目のＯＦＤＭシンボルの下側周波数より、上りリンクのサブバンド１のＨＡＲＱインディケータチャネルグループ群のＨＡＲＱインディケータチャネルコンポーネントグループを１つずつ順番に配置し、次に周波数方向に連続して上りリンクサブバンド３のＨＡＲＱインディケータチャネルグループ群のＨＡＲＱインディケータチャネルコンポーネントグループを１つずつ順番に配置する。
【０１０３】
更に、２つ目のＨＡＲＱインディケータチャネルコンポーネントグループ群を、１つ目のＨＡＲＱインディケータチャネルコンポーネントグループ群を配置した周波数から離れた位置に同様に配置する。更に、３つ目のＨＡＲＱインディケータチャネルコンポーネントグループ群を、２つ目のＨＡＲＱインディケータチャネルコンポーネントグループ群を配置した周波数から離れた位置に同様に配置する。
【０１０４】
図１６は、図１５に対して各上りリンクのサブバンドのＨＡＲＱインディケータチャネルグループ群の同一番目のＨＡＲＱインディケータチャネルコンポーネントグループ群を周波数方向に分散して配置する方法を説明する図である。図１６では、各上りリンクのサブバンドのＨＡＲＱインディケータチャネルグループ群の同一番目のＨＡＲＱインディケータチャネルコンポーネントグループ群が周波数方向に連続ではなく、分散して配置されている。これは、各上りリンクのサブバンドのＨＡＲＱインディケータチャネルグループ群を周波数方向に分散して配置することと同じ意味である。
【０１０５】
移動局装置２は、ＨＡＲＱインディケータチャネルを受信するためにはＨＡＲＱインディケータチャネルグループ群の配置と、ＨＡＲＱインディケータチャネルグループ群の種類、つまりＨＡＲＱインディケータチャネルグループ群に対応する上りリンクのサブバンドの番号を認識する必要がある。そこで、基地局装置1は、下りリンクの各サブバンドに配置されるＨＡＲＱインディケータチャネルグループ群の個数を示す情報と、配置されたＨＡＲＱインディケータチャネルグループ群が上りリンクの何れのサブバンドに対するものであるかを示す情報（対応する上りリンクのサブバンドの番号）を含むＨＡＲＱインディケータチャネル設定情報を移動局装置２に送信するようにしている。本実施形態では、ＨＡＲＱインディケータチャネル設定情報は下りリンクのサブバンド毎に配置される。
【０１０６】
図９の場合、配置されているＨＡＲＱインディケータチャネルグループ群の個数（０個から２個）を示すための２ビットと、配置されているＨＡＲＱインディケータチャネルグループ群に対応している上りリンクのサブバンド１またはサブバンド２を示すための１ビットを対応できる最大のＨＡＲＱインディケータチャネルグループ群の個数分（２個）必要になるので、合計で４ビットが各下りリンクのサブバンドに対して必要になる（full flexible、配置するＨＡＲＱインディケータチャネルグループ群の個数および上りリンクのサブバンドとの対応付けの両方に自由度がある配置）。
【０１０７】
図１７は、ＨＡＲＱインディケータチャネル設定情報に設定する情報を説明する図である。図１７では、ＨＡＲＱインディケータチャネル設定情報のビット列に、１つの下りリンクサブバンドに配置したＨＡＲＱインディケータチャネルグループ群の個数と、ＨＡＲＱインディケータチャネルグループ群がどの番号の上りリンクのサブフレームに対応しているかの情報とを対応付けている。移動局装置２が図１７の表の対応付けを予め記憶しておき、ＨＡＲＱインディケータチャネル設定情報を参照するようにすれば、ＨＡＲＱインディケータチャネル設定情報のビット数を削減することができる。図１７では、ＨＡＲＱインディケータチャネル設定情報は３ビットとなる。
【０１０８】
また、ＨＡＲＱインディケータチャネルグループ群の配置の自由度は下がるが、下りリンクのサブバンドに配置できるＨＡＲＱインディケータチャネルグループ群の個数を１つなどに制限することでＨＡＲＱインディケータチャネル設定情報に必要な情報を減らすこともできる（semi flexible、上りリンクのサブバンドとの対応付けだけに自由度がある配置）。
【０１０９】
なお、ＨＡＲＱインディケータチャネル設定情報は、予め配置される位置が決められている報知チャネルや制御フォーマットインディケータチャネル、下りリンク制御チャネルで配置が示される下りリンク共有データチャネルのうちの何れか１つのチャネルを用いて送信する。
【０１１０】
図１８は、ＨＡＲＱインディケータチャネル設定情報を送信する各チャネルの配置を説明する図である。図１８において、横軸は時間軸、縦軸は周波数軸であり、時間領域において１つのサブフレーム分、周波数領域において１つのサブバンド分だけを示す。他のサブバンドでも同じチャネルの配置がされる。
【０１１１】
報知チャネルは、周波数領域において中心の７２個のサブキャリア、時間領域においてサブフレームの２番目のスロットの１番目から４番目のＯＦＤＭシンボルに一定の周期毎、例えば４０個のサブフレーム毎に配置される。制御フォーマットインディケータチャネルは、サブフレームの１番目のＯＦＤＭシンボルの予め決められた周波数領域の位置でサブフレーム毎に送信される。下りリンク共有データチャネルは、毎サブフレームに配置されるが、ＨＡＲＱインディケータチャネル設定情報が含まれるシステム情報は一定の周期毎、例えば４０個のサブフレーム毎に下りリンク共有データチャネルで送信され、下りリンク共有データチャネル内のシステム情報の配置は下りリンク制御チャネルで示される。
【０１１２】
図１９は、図５の基地局装置１の制御部１１による送信処理部１３に対する制御動作を説明するフローチャートである。まず、制御部１１は、現在処理対象のサブフレームのリソースエレメントへの下りリンク共有データチャネル、制御フォーマットインディケータチャネル、ＨＡＲＱインディケータチャネル、報知チャネル、下りリンク制御チャネルのリソースエレメントへの配置を決定する（Ｓ１０）。
【０１１３】
次に、制御部１１は、システム情報、応答情報、制御データ、制御フォーマットインディケータを生成する。このとき、ＨＡＲＱインディケータチャネルのリソースエレメントへの配置を示すＨＡＲＱインディケータチャネル設定情報は、システム情報または制御フォーマットインディケータに含める（Ｓ１２）。
【０１１４】
次に、制御部１１は、システム情報を送信処理部１３の下りリンク共有データチャネル処理部１００と報知チャネル処理部１３０に出力し、応答情報を送信処理部１３のＨＡＲＱインディケータチャネル処理部１２０に出力し、制御データを送信処理部１３の下りリンク制御チャネル処理部１４０に出力し、制御フォーマットインディケータを送信処理部１３の制御フォーマットインディケータチャネル処理部１１０に出力する（Ｓ１４）。
【０１１５】
次に、制御部１１は、下りリンクパイロットチャネル、報知チャネル、下りリンク制御チャネル、下りリンク共有データチャネル、制御フォーマットインディケータチャネル、ＨＡＲＱインディケータチャネルのリソースエレメントへの配置を指示する制御信号を送信処理部１３の多重部１６０に出力する（Ｓ１６）。
【０１１６】
本実施形態の移動局装置２は、基地局装置１から下りリンクのサブバンド毎に送信されるＨＡＲＱインディケータチャネル設定情報に従ってＨＡＲＱインディケータチャネルを抽出し、復調・復号を行う。ＨＡＲＱインディケータチャネルが複製されて複数の同じＨＡＲＱインディケータチャネルが送信されている場合には、複製された複数のＨＡＲＱインディケータチャネルを全て用いて復号を行う。
【０１１７】
図２０は、本実施形態における移動局装置２の構成を示す概略ブロック図である。図２０に示すように、移動局装置２は、制御部２１、受信処理部２２、送信処理部２３を有する。受信処理部２２は、受信アンテナを介して基地局装置１から受信した下りリンク制御チャネル、下りリンク共有データチャネル、下りリンクパイロットチャネル、制御フォーマットインディケータチャネル、報知チャネル、ＨＡＲＱインディケータチャネルに対し受信処理を行い、この受信処理により検出した情報データを外部に出力する。また、受信処理部２２は、下りリンク制御チャネルを用いて通知された制御データと、下りリンク共有データチャネルと報知チャネルを用いて通知されたシステム情報と制御フォーマットインディケータチャネルを用いて通知された制御フォーマットインディケータとＨＡＲＱインディケータチャネルを用いて通知された応答情報を制御部２１に出力する。
【０１１８】
制御部２１は、基地局装置１より下りリンク制御チャネルを用いて通知された制御データと、下りリンク共有データチャネルと報知チャネルを用いて通知されたシステム情報と制御フォーマットインディケータチャネルを用いて通知された制御フォーマットインディケータとＨＡＲＱインディケータチャネルを用いて通知された応答情報に基づいて、送信処理部２３、受信処理部２２を制御する。
【０１１９】
また制御部２１は、ＨＡＲＱインディケータチャネル設定情報からＨＡＲＱインディケータチャネルが配置されているリソースエレメントと該ＨＡＲＱインディケータチャネルに含まれる応答情報が対応する上りリンクのサブバンドを認識し、さらに送信処理部２３が上りリンク共有データチャネルを送信するのに用いた最も周波数の低い物理リソースブロックＰＲＢから自移動局装置宛のＨＡＲＱインディケータチャネルが符号多重されたＨＡＲＱインディケータチャネルグループと自移動局装置宛のＨＡＲＱインディケータチャネルが基地局装置１で乗算された直交符号を認識し、受信処理部２２の多重分離部２６０（後述）にＨＡＲＱインディケータチャネルグループを抽出するよう制御し、受信処理部２２の符号乗算部２２３（後述）に直交符号を乗算するよう制御する。
【０１２０】
送信処理部２３は、外部から入力された情報データと制御部２１から入力された制御データの送信を、制御部２１からの入力に基づき上りリンク制御チャネル、上りリンク共有データチャネル、上りリンクパイロットチャネルを用いて、送信アンテナを介して行う。
【０１２１】
図２１は、図２０の移動局装置２の受信処理部２２の内部構成を示す概略ブロック図である。移動局装置２の受信処理部２２は、受信ＲＦ部２７４と、Ａ／Ｄ（Analogue to Digital；アナログ／ディジタル変換）部２７３と、ＧＩ除去部２７２と、ＦＦＴ部２７１とを具備する受信部２７０と、多重分離部２６０と、伝播路推定部２８０と、伝播路補償部２９０と、復調部２２２と、復号化部２２１と、符号乗算部２２３とを具備する。本実施形態では、受信ＲＦ部２７４とＡ／Ｄ部２７３とＧＩ除去部２７２とＦＦＴ部２７１とで、受信部２７０として機能する。
【０１２２】
受信ＲＦ部２７４は、受信アンテナを介して受信した信号を増幅し、中間周波数に変換し（ダウンコンバート）、不要な周波数成分を除去し、信号レベルが適切に維持されるように増幅レベルを制御し、受信した信号の同相成分および直交成分に基づいて、直交復調する。Ａ／Ｄ部２７３は、受信ＲＦ部２７４により直交復調されたアナログ信号をディジタル信号に変換する。ＧＩ除去部２７２は、Ａ／Ｄ部２７３の出力したディジタル信号からガードインターバルに相当する部分を除去する。ＦＦＴ部２７１は、ＧＩ除去部２７２から入力された信号を高速フーリエ変換し、ＯＦＤＭ方式の復調を行う。
【０１２３】
多重分離部２６０は、制御部２１からの指示に基づき、ＦＦＴ部２７１がフーリエ変換した信号、すなわちＯＦＤＭ方式により復調された受信信号から下りリンクパイロットチャネル、下りリンク共有データチャネル、制御フォーマットインディケータチャネル、報知チャネル、下りリンク制御チャネル、ＨＡＲＱインディケータチャネルグループを配置されたリソースエレメントから抽出して、出力する。
【０１２４】
具体的には、多重分離部２６０は、固定の配置である下りリンクパイロットチャネルと制御フォーマットインディケータチャネルと報知チャネルを抽出して、下りリンクパイロットチャネルは伝播路推定部２８０に出力し、制御フォーマットインディケータチャネルと報知チャネルは伝播路補償部２９０に出力する。
【０１２５】
下りリンク共有データチャネルと下りリンク制御チャネルとからＨＡＲＱインディケータチャネルグループを抽出する手順は、（１）固定の配置である制御フォーマットインディケータチャネルまたは報知チャネルでＨＡＲＱインディケータ設定情報を送信するか、（２）下りリンク制御チャネルで配置を示される下りリンク共有データチャネルでＨＡＲＱインディケータチャネル設定情報を送信するかで異なる。
【０１２６】
（１）制御フォーマットインディケータチャネルまたは報知チャネルにＨＡＲＱインディケータチャネル設定情報が含まれる場合、さらに、多重分離部２６０は、制御部２１を介して入力される、ＨＡＲＱインディケータチャネル設定情報に基づいて自移動局装置宛の応答情報を含むＨＡＲＱインディケータチャネルグループを抽出して、符号乗算部２２３に出力する。さらに、多重分離部２６０は、制御部２１を介して入力される、先に伝播路補償部２９０に出力した制御フォーマットインディケータチャネルに含まれる制御フォーマットインディケータとＨＡＲＱインディケータチャネル設定情報に基づいて下りリンク制御チャネルを抽出して、伝播路補償部２９０に出力する。さらに、多重分離部２６０は、制御部２１を介して入力される、先に伝播路補償部２９０に出力した下りリンク制御チャネルに含まれる無線リソース割当情報に基づいて下りリンク共有データチャネルを抽出して、伝播路補償部２９０に出力する。
【０１２７】
（２）下りリンク共有データチャネルにＨＡＲＱインディケータチャネル設定情報が含まれる場合、さらに、多重分離部２６０は、制御部２１を介して入力される、先に伝播路補償部２９０に出力した制御フォーマットインディケータチャネルに含まれる制御フォーマットインディケータに基づいて下りリンク制御チャネルを抽出して、伝播路補償部２９０に出力する。ＨＡＲＱインディケータチャネルと下りリンク制御チャネルは周波数多重されているので、ＨＡＲＱインディケータチャネルの配置を認識しなくては下りリンク制御チャネルを正しく復号することができないので、可能性のある全てのＨＡＲＱインディケータチャネルの配置を想定して下りリンク制御チャネルの復号を成功するまで行う。さらに、多重分離部２６０は、下りリンク制御チャネルの復号に成功したら、制御部２１を介して入力される、先に伝播路補償部２９０に出力した下りリンク制御チャネルに含まれる無線リソース割当情報に基づいて下りリンク共有データチャネルに含まれるシステム情報を抽出して、伝播路補償部２９０に出力する。
【０１２８】
さらに多重分離部２６０は、制御部２１を介して入力される、先に伝播路補償部２９０に出力した下りリンク共有データチャネルに含まれるシステム情報で送信されるＨＡＲＱインディケータチャネル設定情報に基づいて自移動局装置宛の応答情報を含むＨＡＲＱインディケータチャネルグループを抽出して、符号乗算部２２３に出力する。
【０１２９】
伝播路推定部２８０は、多重分離部２６０が分離した下りリンクパイロットチャネルの受信結果に基づいて基地局装置１の送信アンテナ各々に対する伝播路変動を推定し、伝播路変動補償値を出力する。伝播路補償部２９０は、伝播路推定部２８０からの伝播路変動補償値に基づいて、多重分離部２６０から入力された下りリンク共有データチャネル、制御フォーマットインディケータチャネル、報知チャネル、下りリンク制御チャネル、ＨＡＲＱインディケータチャネルグループの信号の伝播路変動の補償を行う。
【０１３０】
符号乗算部２２３は、制御部２１からの制御信号に基づき多重分離部２６０から入力されたＨＡＲＱインディケータチャネルグループに、基地局装置１の符号乗算部１２３で自移動局装置宛のＨＡＲＱインディケータチャネルに乗算された直交符号と同じ直交符号を乗算し、自移動局装置宛のＨＡＲＱインディケータチャネルを抽出し、復調部２２２へ出力する。
【０１３１】
復調部２２２は、伝播路補償部２９０により伝播路変動の補償された下りリンク共有データチャネル、制御フォーマットインディケータチャネル、報知チャネル、下りリンク制御チャネル、符号乗算部２２３よりＨＡＲＱインディケータチャネルグループから抽出されたＨＡＲＱインディケータチャネルの復調を行う。この復調は、基地局装置１のデータ変調部１０２、ＱＰＳＫ変調部×３（ＱＰＳＫ変調部１１２、１３２、１４２）、ＢＰＳＫ変調部１２２で用いた変調方式に対応したものが行われ、下りリンク共有データチャネルの変調方式は、下りリンク制御チャネルに含まれる情報に基づき制御部２１から指示される。
【０１３２】
復号化部２２１は、復調部２２２が復調した下りリンク共有データチャネル、制御フォーマットインディケータチャネル、報知チャネル、下りリンク制御チャネル、ＨＡＲＱインディケータチャネルを復号する。この復号は、基地局装置１のターボ符号化部１０１、ブロック符号化部１１１、反復符号化部１２１、畳込み符号化部×２（畳込み符号化部１３１、１４１）で用いた符号および符号化率に対応したものが行われ、下りリンク共有データチャネルの符号化率は、下りリンク制御チャネルに含まれる情報に基づき制御部２１から指示される。
【０１３３】
復号化部２２１で復号された下りリンク共有データチャネルに含まれていたシステム情報、報知チャネルに含まれていたシステム情報、制御フォーマットインティケータチャネルに含まれていた制御フォーマットインディケータ、下りリンク制御チャネルに含まれていた制御データ、ＨＡＲＱインディケータチャネルに含まれていた応答情報は制御部２１に入力される。
【０１３４】
また、復号化部２２１は、複製された複数のＨＡＲＱインディケータチャネルを入力した場合、
（ａ）複数のＨＡＲＱインディケータチャネルの電力（信号）を全て合成して復号をするか、
（ｂ）複数のＨＡＲＱインディケータチャネルの電力を比較し、一番電力の大きいＨＡＲＱインディケータチャネルを選択して復号するか、
（ｃ）下りリンクのサブバンドに含まれる下りリンクパイロットチャネルの電力を比較し、一番電力の大きい下りリンクパイロットチャネルと同じ下りリンクのサブバンドで送信されたＨＡＲＱインディケータチャネルを選択して復号する。
【０１３５】
図２２は、図２０の移動局装置２の受信処理部２２によるＨＡＲＱインディケータチャネルの受信動作を説明するフローチャートである。図２２のフローチャートは、制御フォーマットインディケータまたは報知チャネルのシステム情報にＨＡＲＱインディケータチャネル設定情報が含まれる場合の受信処理部２２による受信動作である。
【０１３６】
まず、受信処理部２２は、固定の位置に配置されている制御フォーマットインディケータチャネルまたは報知チャネルを抽出し、復調・復号し、制御部２１に出力する（Ｓ２０）。次に、制御部２１を介して入力される、先に出力した制御フォーマットインディケータチャネルまたは報知チャネルに含まれるＨＡＲＱインディケータチャネル設定情報に基づいて自移動局装置宛の応答情報を含むＨＡＲＱインディケータチャネルが符号多重されているＨＡＲＱインディケータチャネルグループを抽出し、符号乗算部２２３に出力する（Ｓ２２）。次に、制御部２１を介して入力される、制御信号に基づいてＨＡＲＱインディケータチャネルグループに直交符号を乗算し、抽出したＨＡＲＱインディケータチャネルを復調・復号し、応答情報を制御部２１へ出力する（Ｓ２４）。
【０１３７】
図２３は、図２０の移動局装置２の受信処理部２２によるＨＡＲＱインディケータチャネルの受信動作を説明するフローチャートである。図２３のフローチャートは、下りリンク共有データチャネルのシステム情報にＨＡＲＱインディケータチャネル設定情報が含まれる場合の受信処理部２２による受信動作である。
【０１３８】
まず、受信処理部２２は、固定の位置に配置されている制御フォーマットインディケータチャネルから制御フォーマットインディケータを復調・復号し制御部２１へ出力する（Ｓ３０）。次に、制御部２１を介して入力される、先に出力した制御フォーマットインディケータから下りリンク制御チャネルが配置されるＯＦＤＭシンボルを認識する（Ｓ３２）。次に、ＨＡＲＱインディケータチャネルグループ群の配置を１つ選択し、設定する（Ｓ３４）。次に、下りリンク共有データチャネルに含まれるシステム情報の配置を示す下りリンク制御チャネルの復号を試みる（Ｓ３６）。次に、下りリンク共有データチャネルに含まれるシステム情報の配置を示す下りリンク制御チャネルの復号に成功したか否かを判断する（Ｓ３８）。
【０１３９】
下りリンク共有データチャネルに含まれるシステム情報の配置を示す下りリンク制御チャネルの復号に成功したと判断した場合（ステップＳ３８：Ｙｅｓ）、下りリンク共有データチャネルからシステム情報を抽出して復調・復号し、制御部２１へ出力する（Ｓ４２）。次に、制御部２１を介して入力される、先に出力したシステム情報に含まれるＨＡＲＱインディケータチャネル設定情報に基づいて自移動局装置宛の応答情報を含むＨＡＲＱインディケータチャネルが符号多重されているＨＡＲＱインディケータチャネルグループを抽出し、符号乗算部に出力する（Ｓ４４）。次に、制御部２１を介して入力される、制御信号に基づいてＨＡＲＱインディケータチャネルグループに直交符号を乗算し、抽出したＨＡＲＱインディケータチャネルを復調・復号し、応答情報を制御部２１へ出力する（Ｓ４６）。
【０１４０】
一方、下りリンク共有データチャネルに含まれるシステム情報の配置を示す下りリンク制御チャネルの復号に失敗した場合（ステップＳ３８：Ｎｏ）、まだ試していないＨＡＲＱインディケータチャネルの配置を選択・設定し（Ｓ４０）、下りリンク制御チャネルの復号を試みるステップＳ３６からの処理を繰り返す。
【０１４１】
なお、本実施の形態では下りリンクの各サブバンドで示すＨＡＲＱインディケータチャネル設定情報は、ＨＡＲＱインディケータチャネル設定情報を含むチャネルを配置した下りリンクのサブバンドのみに対する情報を含む場合について説明したが、全ての下りリンクのサブバンドに対するＨＡＲＱインディケータチャネル設定情報をまとめて送信してもよい。
【０１４２】
全ての下りリンクのサブバンドに対するＨＡＲＱインディケータチャネル設定情報をまとめて送信する場合には、（２）下りリンク共有データチャネルのシステム情報にＨＡＲＱインディケータチャネル設定情報が含まれる場合において、１つの下りリンクのサブバンドでＨＡＲＱインディケータチャネル設定情報の受信に成功したら、他の下りリンクのサブバンドの下りリンク制御チャネルを復号するために、ステップＳ３４、Ｓ３６、Ｓ３８、Ｓ４０の処理を飛ばすことができる。
【０１４３】
下りリンク共有データチャネルのように下りリンク制御チャネルで配置を示されるチャネルよりも、制御フォーマットインディケータチャネルや報知チャネルのように固定の位置に配置されるチャネルでＨＡＲＱインディケータチャネル設定情報を送信したほうがＨＡＲＱインディケータチャネルを受信する手順は簡単になる。
【０１４４】
報知チャネルや制御フォーマットインディケータチャネルよりも、下りリンク共有データチャネルでＨＡＲＱインディケータチャネル設定情報を送信したほうが、符号化率や変調方式、配置するリソースエレメントの量などを適応的に制御でき、より多くの情報を効率よく送信できる。
【０１４５】
以上、図面を参照してＨＡＲＱインディケータチャネル設定情報を下りリンクのサブバンド毎に１種類のチャネルを用いて送信する方法を説明してきたが、基地局装置１は、下りリンクのサブバンドに配置されるＨＡＲＱインディケータチャネルグループ群の個数を示す情報と、配置されたＨＡＲＱインディケータチャネルグループ群が上りリンクの何れのサブバンドに対するものであるかを示す情報とを異なる種類のチャネルを用いて送信してもよい。なお、下りリンクのサブバンドに配置されるＨＡＲＱインディケータチャネルグループ群の個数を示す情報は、下りリンクのサブバンド毎に送信してもよい。また、下りリンクのサブバンド毎に異なる数のＨＡＲＱインディケータチャネルグループ群を配置してもよい。
【０１４６】
図２４は、図５の基地局装置１の送信処理部１３の送信動作を説明するフローチャートである。図２４のフローチャートは、下りリンクのサブバンド毎に該サブバンドに含まれるＨＡＲＱインディケータチャネルグループ群の個数を示す情報を固定の配置のチャネルで送信し、ＨＡＲＱインディケータチャネルグループ群が上りリンクの何れのサブバンドに対するものであるかを示す情報を下りリンク制御チャネルで配置が示されるチャネルで送信する場合の動作である。
【０１４７】
基地局装置１の送信処理部１３は、下りリンクのサブバンド毎に該サブバンドに含まれるＨＡＲＱインディケータチャネルグループ群の個数を示す情報を報知チャネルまたは制御フォーマットインディケータチャネルで送信する（Ｓ５０）。次に、ＨＡＲＱインディケータチャネルグループ群が何れのサブバンドに対するものであるかを示す情報を、下りリンクの全サブバンド分まとめて１つの下りリンク共有データチャネルのシステム情報で送信する（Ｓ５２）。
【０１４８】
図２５は、図２０の移動局装置２の受信処理部２２による受信動作を説明するフローチャートである。図２５のフローチャートは、図２４のフローチャートに従って基地局装置１の送信処理部１３がＨＡＲＱインディケータチャネル設定情報を送信した場合の受信処理部２２の動作である。
【０１４９】
移動局装置２の受信処理部２２は、固定の位置に配置されている制御フォーマットインディケータチャネルまたは報知チャネルを抽出し、復調・復号し、制御部２１へ出力する（Ｓ６０）。次に、制御部２１を介して入力される、先に出力した制御フォーマットインディケータチャネルまたは報知チャネルに含まれる下りリンクのサブバンドに含まれるＨＡＲＱインディケータチャネルグループ群の個数を示す情報と制御フォーマットインディケータチャネルに含まれる制御フォーマットインディケータとに基づいて、下りリンク共有データチャネルに含まれるシステム情報の配置を示す下りリンク制御チャネルを復調・復号し、制御部２１へ出力する（Ｓ６２）。次に、制御部２１を介して入力される、先に出力した下りリンク制御チャネルに基づいて、下りリンク共有データチャネルに含まれるシステム情報を抽出し、復調・復号し、制御部２１へ出力する（Ｓ６４）。次に、制御部２１を介して入力される、先に出力した制御フォーマットインディケータチャネルまたは報知チャネルに含まれる下りリンクのサブバンドに含まれるＨＡＲＱインディケータチャネルグループ群の個数を示す情報とシステム情報に含まれるＨＡＲＱインディケータチャネルグループ群が何れのサブバンドに対するものであるかを示す情報とに基づいて、自移動局装置宛の応答情報を含むＨＡＲＱインディケータチャネルが符号多重されているＨＡＲＱインディケータチャネルグループを抽出し、符号乗算部に出力する（Ｓ６６）。次に、制御部２１を介して入力される、制御信号に基づいてＨＡＲＱインディケータチャネルグループに直交符号を乗算し、ＨＡＲＱインディケータチャネルを抽出し、復調・復号し、応答情報を制御部２１へ出力する（Ｓ６８）。
【０１５０】
以上、図面を参照し、基地局装置1が下りリンクのサブバンドに配置されるＨＡＲＱインディケータチャネルの個数を示す情報と、ＨＡＲＱインディケータチャネルグループ群が何れのサブバンドに対するものであるかを示す情報とを送信する態様について説明したが、各サブバンドに、下りリンクの各サブバンドに対するＨＡＲＱインディケータチャネルグループ群の個数を示す情報をまとめて配置し、ＨＡＲＱインディケータチャネルと上りリンクのサブバンドの対応を予め決めた方法で認識する態様としてもよい。当該態様では、ＨＡＲＱインディケータチャネルグループ群の配置の自由度が減るものの、基地局装置1が送信する情報量を減らすことができる。つまり、ＨＡＲＱインディケータチャネル設定情報には、ＨＡＲＱインディケータチャネルグループ群が何れのサブバンドに対するものであるかを示す情報が不要となる。
【０１５１】
図２６は、ＨＡＲＱインディケータチャネルグループ群の配置方法を説明する図である。図２６において、横軸は時間軸、縦軸は周波数軸であり、周波数領域においてシステム帯域分を示し、時間領域において１つのサブフレーム分だけを示す。図２６は、下りリンクのサブバンドが５つで、上りリンクのサブバンドが３つの場合を想定している。下りリンクの各サブバンドに対するＨＡＲＱインディケータチャネルの個数を示す情報はまとめて、各サブバンドの報知チャネル、制御フォーマットインディケータチャネルまたは下りリンク共有データチャネルで示される。下りリンクのサブバンド１には２つ、サブバンド２とサブバンド３とサブバンド５には１つのＨＡＲＱインディケータチャネルグループ群が配置され、サブバンド４にはＨＡＲＱインディケータチャネルグループ群は配置されない。ＨＡＲＱインディケータチャネルグループ群が対応する上りリンクのサブバンドはシステム帯域全体で下側の周波数に配置されるＨＡＲＱインディケータチャネルグループ群から順番に上りリンクのサブバンド１から順番にサブバンド２、サブバンド３と対応させる。一通り全ての上りリンクのサブバンドをＨＡＲＱインディケータチャネルグループ群に対応させたら、続きのＨＡＲＱインディケータチャネルグループ群はまた上りリンクのサブバンド１から順番に対応させていく。
【０１５２】
図２６で、移動局装置２に下りリンクのサブバンド２とサブバンド３とが割り当てられている場合、移動局装置２は、上りリンクのサブバンド３に対応するＨＡＲＱインディケータチャネルグループ群を下りリンクのサブバンド２にて受信し、上りリンクのサブバンド１に対応するＨＡＲＱインディケータチャネルグループ群を下りリンクのサブバンド３にて受信することができるので、移動局装置２には、上りリンクのサブバンド１もしくはサブバンド３の何れか一方、または、上りリンクのサブバンド１およびサブバンド３の両方を割り当てることができる。但し、移動局装置２が連続する２つのサブバンドを受信できない場合には、上りリンクのサブバンド１とサブバンド３のように離れたサブバンドを割り当ることはできない。
【０１５３】
そこで、上りリンクのサブバンドにＨＡＲＱインディケータチャネルグループ群を対応させるときに、対応させる上りリンクのサブバンドの順番を１、２、３と増やしていき、上りリンクの全てのサブバンドに対応させたら、次は、３、２、１と対応させるサブバンドを逆の順番で対応させていく。つまり、上りリンクのサブバンドが３つの場合、１→２→３→２→１→２→３→…という順番で対応づけることで、移動局装置２が上りリンクの周波数方向に離れたサブバンドのＨＡＲＱインディケータチャネルグループ群を受信することはなくなる。
【０１５４】
上りリンクのサブバンドを対応付ける順番は他にも以下の順番などがある。１→２→３→１→２→…、２→３→１→２→３→…、３→１→２→３→１→…などである。ＨＡＲＱインディケータチャネルグループ群を上りリンクのサブバンドに対応させる順番を予め２，３通りに決めておき、どのような順番付けを用いたかを基地局装置１が移動局装置２にシグナルしてもよい。
【０１５５】
また、下りリンクのサブバンドに配置するＨＡＲＱインディケータチャネルグループ群の個数を固定とする態様としてもよい。当該態様では、ＨＡＲＱインディケータチャネルグループ群の配置の自由度が減るが、基地局装置１が送信する情報量を減らすことができる。つまり、ＨＡＲＱインディケータチャネル設定情報には、ＨＡＲＱインディケータチャネルの個数を示す情報が不要となる。例えば、下りリンクのサブバンドには必ず１つのＨＡＲＱインディケータチャネルグループ群が配置されるときは、ＨＡＲＱインディケータチャネル設定情報は、各サブバントに配置されたＨＡＲＱインディケータチャネルグループ群が何れのサブバンドに対するものであるかを示す情報のみを示せばよい。
【０１５６】
本発明に関わる移動局装置２および基地局装置１で動作するプログラムは、本発明に関わる上記実施形態の機能を実現するように、ＣＰＵ（Central Processing Unit）等を制御するプログラム（コンピュータを機能させるプログラム）である。そして、これら装置で取り扱われる情報は、その処理時に一時的にＲＡＭ（Random Access Memory）に蓄積され、その後、Ｆｌａｓｈ  ＲＯＭ（Read Only Memory)などの各種ＲＯＭやＨＤＤ（Hard Disk Drive）に格納され、必要に応じてＣＰＵによって読み出し、修正・書き込みが行われる。
【０１５７】
また、図５における無線リソース制御部１０、制御部１１、図６における下りリンク共有データチャネル処理部１００、制御フォーマットインディケータチャネル処理部１１０、ＨＡＲＱインディケータチャネル処理部１２０、報知チャネル処理部１３０、下りリンク制御チャネル処理部１４０、下りリンクパイロットチャネル生成部１５０、多重部１６０、ＩＦＦＴ部１７１、ＧＩ挿入部１７２、Ｄ／Ａ部１７３、送信ＲＦ部１７４、図２０における制御部２１、および、図２１における受信ＲＦ部２７４、Ａ／Ｄ部２７３、ＧＩ除去部２７２、ＦＦＴ部２７１、多重分離部２６０、伝播路推定部２８０、伝播路補償部２９０、符号乗算部２２３、復調部２２２、復号化部２２１の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
【０１５８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【０１５９】
以上、本発明の実施形態を図面を参照して詳述したが、具体的な構成は上記実施形態に限られるものではなく、本発明の要旨を逸脱しない範囲の設計変更等も含まれる。
【産業上の利用可能性】
【０１６０】
本発明の無線通信システムは、携帯電話などの移動体通信システムの移動局装置および基地局装置に、適用できる。
【符号の説明】
【０１６１】
１・・・基地局装置
２・・・移動局装置
１０・・・無線リソース処理部
１１・・・基地局装置の制御部
１２・・・基地局装置の受信処理部
１３・・・基地局装置の送信処理部
２１・・・移動局装置の制御部
２２・・・移動局装置の受信処理部
２３・・・移動局装置の送信処理部
１００・・・下りリンク共有データチャネル処理部
１０１・・・ターボ符号化部
１０２・・・データ変調部
１１０・・・制御フォーマットインディケータチャネル処理部
１１１・・・ブロック符号化部
１１２・・・ＱＰＳＫ変調部
１２０・・・ＨＡＲＱインディケータチャネル処理部
１２１・・・反復符号化部
１２２・・・ＢＰＳＫ変調部
１２３・・・符号乗算部
１３０・・・報知チャネル処理部
１３１・・・畳込み符号化部
１３２・・・ＱＰＳＫ変調部
１４０・・・下りリンク制御チャネル処理部
１４１・・・畳込み符号化部
１４２・・・ＱＰＳＫ変調部
１５０・・・下りリンクパイロットチャネル生成部
１６０・・・多重部
１７０・・・送信アンテナ毎送信処理部
１７１・・・ＩＦＦＴ部
１７２・・・ＧＩ挿入部
１７３・・・Ｄ／Ａ部
１７４・・・送信ＲＦ部
２２１・・・復号化部
２２２・・・復調部
２２３・・・符号乗算部
２６０・・・多重分離部
２７０・・・受信部
２７１・・・ＦＦＴ部
２７２・・・ＧＩ除去部
２７３・・・Ａ／Ｄ部
２７４・・・受信ＲＦ部
２８０・・・伝播路推定部
２９０・・・伝播路補償部
【図１】
0005574536.tif 000002
【図２】
0005574536.tif 000003
【図３】
0005574536.tif 000004
【図４】
0005574536.tif 000005
【図５】
0005574536.tif 000006
【図６】
0005574536.tif 000007
【図７】
0005574536.tif 000008
【図８】
0005574536.tif 000009
【図９】
0005574536.tif 000010
【図１０】
0005574536.tif 000011
【図１１】
0005574536.tif 000012
【図１２】
0005574536.tif 000013
【図１３】
0005574536.tif 000014
【図１４】
0005574536.tif 000015
【図１５】
0005574536.tif 000016
【図１６】
0005574536.tif 000017
【図１７】
0005574536.tif 000018
【図１８】
0005574536.tif 000019
【図１９】
0005574536.tif 000020
【図２０】
0005574536.tif 000021
【図２１】
0005574536.tif 000022
【図２２】
0005574536.tif 000023
【図２３】
0005574536.tif 000024
【図２４】
0005574536.tif 000025
【図２５】
0005574536.tif 000026
【図２６】
0005574536.tif 000027
【図２７】
0005574536.tif 000028
【図２８】
0005574536.tif 000029
【図２９】
0005574536.tif 000030
【図３０】
0005574536.tif 000031
【図３１】
0005574536.tif 000032
【図３２】
0005574536.tif 000033
【図３３】
0005574536.tif 000034
【図３４】
0005574536.tif 000035
【図３５】
0005574536.tif 000036